(57)【要約】      （修正有）【課題】時分割多重法ＴＤＤにおいてアップリンクスループットを改善する制御チャネル割当方法を提供する。【解決手段】方法は、ユーザ機器ＵＥによって物理的アップリンク共有チャネルＰＵＳＣＨを現在の特殊サブフレームで送出するステップと、ＰＵＳＣＨ送信用のアップリンク資源に応じてＵＥによって、ＰＵＳＣＨに対応する物理的ハイブリッド自動再送要求インジケータチャネルＰＨＩＣＨ資源を決定するステップであって、ＰＵＳＣＨ送信用のアップリンク資源が現在の特殊サブフレームを含む、ＰＨＩＣＨ資源を決定するステップと、ＰＨＩＣＨを決定されたＰＨＩＣＨ資源によって受信するステップとを含み、特殊サブフレームがアップリンクＰＵＳＨ送信に用いられるときに、そのアップリンクＰＵＳＣＨに対応するダウンリンクＰＨＩＣＨの受信位置を決定可能とする。【選択図】図２
2019083540.tif 000002
【特許請求の範囲】
【請求項１】
制御チャネル資源割当方法であって、
ユーザ機器（ＵＥ）によって、物理的アップリンク共有チャネル（ＰＵＳＣＨ）を現在の特殊サブフレームで送出するステップと、
前記ＰＵＳＣＨ送信用のアップリンク資源に応じて前記ＵＥによって、前記ＰＵＳＣＨに対応する物理的ハイブリッド自動再送要求インジケータチャネル（ＰＨＩＣＨ）資源を決定するステップであって、前記ＰＵＳＣＨ送信用の前記アップリンク資源が前記現在の特殊サブフレームを含む、ＰＨＩＣＨ資源を決定するステップと、
前記ＵＥによって、ＰＨＩＣＨを前記決定されたＰＨＩＣＨ資源によって受信するステップと
を含む制御チャネル資源割当方法。
【請求項２】
前記ＰＵＳＣＨ送信用のアップリンク資源に応じて前記ＵＥによって、前記ＰＵＳＣＨに対応するＰＨＩＣＨ資源を決定する前記ステップが、
前記ＰＵＳＣＨ送信用の前記アップリンク資源に応じて前記ＵＥによって、前記ＰＵＳＣＨに対応する前記ＰＨＩＣＨ資源のサブフレーム位置を決定するステップと、
前記サブフレーム位置に応じて、前記ＰＵＳＣＨに対応する前記ＰＨＩＣＨ資源を決定するステップとを含む、請求項１に記載の方法。
【請求項３】
前記ＰＵＳＣＨ送信用のアップリンク資源に応じて前記ＵＥによって、前記ＰＵＳＣＨに対応するＰＨＩＣＨ資源を決定する前記ステップが、
前記ＰＵＳＣＨのサブフレーム位置に応じてＰＨＩＣＨ群番号を決定するステップと、
前記ＰＨＩＣＨ群番号に応じて、前記ＰＵＳＣＨに対応する前記ＰＨＩＣＨ資源を決定するステップとを含む、請求項１又は２に記載の方法。
【請求項４】
前記ＰＨＩＣＨ群番号ＩＰＨＩＣＨは、次式で指定される、
（外１）
2019083540.tif 000032
請求項３に記載の方法。
【請求項５】
前記ＰＵＳＣＨ送信用の前記アップリンク資源のサブフレームが前記現在の特殊サブフレームだけであるとき、前記ＰＵＳＣＨ送信用の前記アップリンク資源に応じて前記ＵＥによって、前記ＰＵＳＣＨに対応する前記ＰＨＩＣＨ資源のサブフレーム位置を決定する前記ステップが、
アップリンク−ダウンリンクサブフレーム構成が０であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１若しくは６のとき、Ｋ＝５であり、又はｎ＝１若しくは６のとき、Ｋ＝１０である、或いは
アップリンク−ダウンリンクサブフレーム構成が１であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１若しくは６のとき、Ｋ＝４であり、ｎ＝１若しくは６のとき、Ｋ＝５であり、又はｎ＝１若しくは６のとき、Ｋ＝８である、或いは
アップリンク−ダウンリンクサブフレーム構成が２であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１若しくは６のとき、Ｋ＝４であり、ｎ＝１若しくは６のとき、Ｋ＝５であり、ｎ＝１若しくは６のとき、Ｋ＝７であり、又はｎ＝１若しくは６のとき、Ｋ＝８である、或いは
アップリンク−ダウンリンクサブフレーム構成が３であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が４であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が５であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が６であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここで
ｎ＝１若しくは６のとき、Ｋ＝４であり、
ｎ＝１若しくは６のとき、Ｋ＝５であり、
ｎ＝１のとき、Ｋ＝８であり、
ｎ＝１若しくは６のとき、Ｋ＝９であり、又は
ｎ＝１若しくは６のとき、Ｋ＝１０である、請求項２乃至４のいずれか１項記載の方法。
【請求項６】
前記ＰＵＳＣＨ送信用の前記アップリンク資源のサブフレームが前記現在の特殊サブフレーム、及び前記現在の特殊サブフレームとバンドルされた協調サブフレームを含むとき、前記ＰＵＳＣＨ送信用の前記アップリンク資源に応じて前記ＵＥによって、前記ＰＵＳＣＨに対応する前記ＰＨＩＣＨ資源のサブフレーム位置を決定する前記ステップが、
前記協調サブフレームに応じて、前記ＰＵＳＣＨに対応する前記ＰＨＩＣＨ資源の前記サブフレーム位置を決定するステップを含む、請求項２に記載の方法。
【請求項７】
前記協調サブフレームが、前記現在の特殊サブフレームの無線フレーム内の少なくとも１つのアップリンクサブフレーム、及び／又は、前記無線フレーム内の、前記現在の特殊サブフレーム以外の他の特殊サブフレームを含む、請求項６に記載の方法。
【請求項８】
前記ＰＵＳＣＨ送信用の前記アップリンク資源に応じて前記ＵＥによって、前記ＰＵＳＣＨに対応する前記ＰＨＩＣＨ資源のサブフレーム位置を決定する前記ステップが、
前記協調サブフレーム内の最終サブフレームＬに応じて、前記ＰＵＳＣＨに対応する前記ＰＨＩＣＨ資源の前記サブフレーム位置を決定するステップを含む、請求項６又は７に記載の方法。
【請求項９】
前記協調サブフレーム内の前記最終サブフレームＬに応じて、前記ＰＵＳＣＨに対応する前記ＰＨＩＣＨ資源の前記サブフレーム位置を決定する前記ステップが、以下の少なくとも１つである、
アップリンク−ダウンリンクサブフレーム構成が０である場合には、無線フレーム内の特殊サブフレーム１及び６が前記無線フレーム内のサブフレーム２、３、４、７、８、及び９とバンドルされるときに、前記ＰＨＩＣＨ資源が前記最終サブフレームＬからＫ番目のサブフレームに位置すると決定するステップを含み、ここでＬ＝９、及びＫ＝６である、
アップリンク−ダウンリンクサブフレーム構成が１である場合には、無線フレーム内の特殊サブフレーム１及び６が前記無線フレーム内のサブフレーム２、３、７、及び８とバンドルされるときに、前記ＰＨＩＣＨ資源が前記最終サブフレームＬからＫ番目のサブフレームに位置すると決定するステップを含み、ここでＬ＝８、及びＫ＝６である、
アップリンク−ダウンリンクサブフレーム構成が２である場合には、無線フレーム内の特殊サブフレーム１及び６が前記無線フレーム内のサブフレーム２及び７とバンドルされるときに、前記ＰＨＩＣＨ資源が前記最終サブフレームＬからＫ番目のサブフレームに位置すると決定するステップを含み、ここでＬ＝７、及びＫ＝６、９、若しくは１９である、
アップリンク−ダウンリンクサブフレーム構成が３である場合には、無線フレーム内の特殊サブフレーム１が前記無線フレーム内のサブフレーム２、３、及び４とバンドルされるときに、前記ＰＨＩＣＨ資源が前記最終サブフレームＬからＫ番目のサブフレームに位置すると決定するステップを含み、ここでＬ＝４、及びＫ＝１６である、
アップリンク−ダウンリンクサブフレーム構成が５である場合には、無線フレーム内の特殊サブフレーム１が前記無線フレーム内のサブフレーム２とバンドルされるときに、前記ＰＨＩＣＨ資源が前記サブフレーム２からＫ番目のサブフレームに位置すると決定するステップを含み、ここでＫ＝５、１５、若しくは２５である、
アップリンク−ダウンリンクサブフレーム構成が６である場合には、無線フレーム内の特殊サブフレーム１及び６が前記無線フレーム内のサブフレーム２、３、４、７、及び８とバンドルされるときに、前記ＰＨＩＣＨ資源が前記最終サブフレームＬからＫ番目のサブフレームに位置すると決定するステップを含み、ここでＬ＝８、及びＫ＝１７である、請求項８に記載の方法。
【請求項１０】
アップリンク−ダウンリンクサブフレーム構成が２である場合には、無線フレーム内の特殊サブフレーム１と前記無線フレーム内のサブフレーム２がバンドルされて第１のバンドルフレームを形成し、また前記無線フレーム内の特殊サブフレーム６と前記無線フレーム内のサブフレーム７がバンドルされて第２のバンドルフレームを形成するときに、前記協調サブフレーム内の前記最終サブフレームＬに応じて、前記ＰＵＳＣＨに対応する前記ＰＨＩＣＨ資源の前記サブフレーム位置を決定する前記ステップが、
前記第１のバンドルフレームに対応する第１のＰＨＩＣＨ資源が前記最終サブフレームＬからＫ１番目のサブフレームに位置すると決定するステップを含み、ここでＬ＝２、及びＫ１＝４であり、また
前記第２のバンドルフレームに対応する第２のＰＨＩＣＨ資源が前記最終サブフレームＬからＫ２番目のサブフレームに位置すると決定するステップを含み、ここでＬ＝７、及びＫ２＝４である、請求項８に記載の方法。
【請求項１１】
制御チャネル資源割当方法であって、
基地局によって、物理的アップリンク共有チャネルＰＵＳＣＨを現在の特殊サブフレームで受信するステップと、
前記ＰＵＳＣＨ受信用のアップリンク資源に応じて前記基地局によって、前記ＰＵＳＣＨに対応する物理的ハイブリッド自動再送要求インジケータチャネルＰＨＩＣＨ資源を決定するステップであって、前記アップリンク資源が前記現在の特殊サブフレームを含む、ＰＨＩＣＨ資源を決定するステップと、
前記基地局によって、ＰＨＩＣＨを前記決定されたＰＨＩＣＨ資源によって送信するステップと
を含む制御チャネル資源割当方法。
【請求項１２】
前記ＰＵＳＣＨ受信用のアップリンク資源に応じて前記基地局によって、前記ＰＵＳＣＨに対応するＰＨＩＣＨ資源を決定する前記ステップが、
前記ＰＵＳＣＨ受信用の前記アップリンク資源に応じて前記基地局によって、前記ＰＵＳＣＨに対応する前記ＰＨＩＣＨ資源のサブフレーム位置を決定するステップと、
前記サブフレーム位置に応じて、前記ＰＵＳＣＨに対応する前記ＰＨＩＣＨ資源を決定するステップとを含む、請求項１１に記載の方法。
【請求項１３】
前記ＰＵＳＣＨ送信用のアップリンク資源に応じて前記基地局によって、前記ＰＵＳＣＨに対応するＰＨＩＣＨ資源を決定する前記ステップが、
前記ＰＵＳＣＨのサブフレーム位置に応じてＰＨＩＣＨ群番号を決定するステップと、
前記ＰＨＩＣＨ群番号に応じて、前記ＰＵＳＣＨに対応する前記ＰＨＩＣＨ資源を決定するステップとを含む、請求項１１又は１２に記載の方法。
【請求項１４】
前記ＰＨＩＣＨ群番号ＩＰＨＩＣＨは、次式で指定される、
（外２）
2019083540.tif 000033
請求項１３に記載の方法。
【請求項１５】
前記ＰＵＳＣＨ送信用の前記アップリンク資源のサブフレームが前記現在の特殊サブフレームだけであるとき、前記ＰＵＳＣＨ受信用の前記アップリンク資源に応じて前記基地局によって、前記ＰＵＳＣＨに対応する前記ＰＨＩＣＨ資源のサブフレーム位置を決定する前記ステップが、
アップリンク−ダウンリンクサブフレーム構成が０であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１若しくは６のとき、Ｋ＝５であり、又はｎ＝１若しくは６のとき、Ｋ＝１０である、或いは
アップリンク−ダウンリンクサブフレーム構成が１であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１若しくは６のとき、Ｋ＝４であり、ｎ＝１若しくは６のとき、Ｋ＝５であり、又はｎ＝１若しくは６のとき、Ｋ＝８である、或いは
アップリンク−ダウンリンクサブフレーム構成が２であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１若しくは６のとき、Ｋ＝４であり、ｎ＝１若しくは６のとき、Ｋ＝５であり、ｎ＝１若しくは６のとき、Ｋ＝７であり、又はｎ＝１若しくは６のとき、Ｋ＝８である、或いは
アップリンク−ダウンリンクサブフレーム構成が３であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が４であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が５であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が６であり、また前記現在の特殊サブフレームがサブフレームｎであるときに、前記ＰＨＩＣＨ資源が前記現在の特殊サブフレームｎからＫ番目のサブフレームに位置すると決定するステップを含み、ここで
ｎ＝１若しくは６のとき、Ｋ＝４であり、
ｎ＝１若しくは６のとき、Ｋ＝５であり、
ｎ＝１のとき、Ｋ＝８であり、
ｎ＝１若しくは６のとき、Ｋ＝９であり、又は
ｎ＝１若しくは６のとき、Ｋ＝１０である、請求項１２乃至１４のいずれか１項記載の方法。
【請求項１６】
前記ＰＵＳＣＨ送信用の前記アップリンク資源のサブフレームが前記現在の特殊サブフレーム、及び前記現在の特殊サブフレームとバンドルされた協調サブフレームを含むとき、前記ＰＵＳＣＨ受信用の前記アップリンク資源に応じて前記基地局によって、前記ＰＵＳＣＨに対応する前記ＰＨＩＣＨ資源のサブフレーム位置を決定する前記ステップが、
前記協調サブフレームに応じて、前記ＰＵＳＣＨに対応する前記ＰＨＩＣＨ資源の前記サブフレーム位置を決定するステップを含む、請求項１２に記載の方法。
【請求項１７】
前記協調サブフレームが、前記現在の特殊サブフレームの無線フレーム内の少なくとも１つのアップリンクサブフレーム、及び／又は、前記無線フレーム内の、前記現在の特殊サブフレーム以外の他の特殊サブフレームを含む、請求項１６に記載の方法。
【請求項１８】
前記ＰＵＳＣＨ受信用の前記アップリンク資源に応じて前記基地局によって、前記ＰＵＳＣＨに対応する前記ＰＨＩＣＨ資源のサブフレーム位置を決定する前記ステップが、
前記協調サブフレーム内の最終サブフレームＬに応じて、前記ＰＵＳＣＨに対応する前記ＰＨＩＣＨ資源の前記サブフレーム位置を決定するステップを含む、請求項１６又は１７に記載の方法。
【請求項１９】
前記協調サブフレーム内の前記最終サブフレームＬに応じて、前記ＰＵＳＣＨに対応する前記ＰＨＩＣＨ資源の前記サブフレーム位置を決定する前記ステップが、
アップリンク−ダウンリンクサブフレーム構成が０である場合には、無線フレーム内の特殊サブフレーム１及び６が前記無線フレーム内のサブフレーム２、３、４、７、８、及び９とバンドルされるときに、前記ＰＨＩＣＨ資源が前記最終サブフレームＬからＫ番目のサブフレームに位置すると決定するステップを含み、ここでＬ＝９、及びＫ＝６である、或いは
アップリンク−ダウンリンクサブフレーム構成が１である場合には、無線フレーム内の特殊サブフレーム１及び６が前記無線フレーム内のサブフレーム２、３、７、及び８とバンドルされるときに、前記ＰＨＩＣＨ資源が前記最終サブフレームＬからＫ番目のサブフレームに位置すると決定するステップを含み、ここでＬ＝８、及びＫ＝６である、或いは
アップリンク−ダウンリンクサブフレーム構成が２である場合には、無線フレーム内の特殊サブフレーム１及び６が前記無線フレーム内のサブフレーム２及び７とバンドルされるときに、前記ＰＨＩＣＨ資源が前記最終サブフレームＬからＫ番目のサブフレームに位置すると決定するステップを含み、ここでＬ＝７、及びＫ＝６、９、若しくは１９である、或いは
アップリンク−ダウンリンクサブフレーム構成が３である場合には、無線フレーム内の特殊サブフレーム１が前記無線フレーム内のサブフレーム２、３、及び４とバンドルされるときに、前記ＰＨＩＣＨ資源が前記最終サブフレームＬからＫ番目のサブフレームに位置すると決定するステップを含み、ここでＬ＝４、及びＫ＝１６である、或いは
アップリンク−ダウンリンクサブフレーム構成が５である場合には、無線フレーム内の特殊サブフレーム１が前記無線フレーム内のサブフレーム２とバンドルされるときに、前記ＰＨＩＣＨ資源が前記サブフレーム２からＫ番目のサブフレームに位置すると決定するステップを含み、ここでＫ＝５、１５、若しくは２５である、或いは
アップリンク−ダウンリンクサブフレーム構成が６である場合には、無線フレーム内の特殊サブフレーム１及び６が前記無線フレーム内のサブフレーム２、３、４、７、及び８とバンドルされるときに、前記ＰＨＩＣＨ資源が前記最終サブフレームＬからＫ番目のサブフレームに位置すると決定するステップを含み、ここでＬ＝８、及びＫ＝１７である、請求項１８に記載の方法。
【請求項２０】
アップリンク−ダウンリンクサブフレーム構成が２である場合には、無線フレーム内の特殊サブフレーム１と前記無線フレーム内のサブフレーム２がバンドルされて第１のバンドルフレームを形成し、また前記無線フレーム内の特殊サブフレーム６と前記無線フレーム内のサブフレーム７がバンドルされて第２のバンドルフレームを形成するときに、前記協調サブフレーム内の前記最終サブフレームＬに応じて、前記ＰＵＳＣＨに対応する前記ＰＨＩＣＨ資源の前記サブフレーム位置を決定する前記ステップが、
前記第１のバンドルフレームに対応する第１のＰＨＩＣＨ資源が前記最終サブフレームＬからＫ１番目のサブフレームに位置すると決定するステップを含み、ここでＬ＝２、及びＫ１＝４であり、また
前記第２のバンドルフレームに対応する第２のＰＨＩＣＨ資源が前記最終サブフレームＬからＫ２番目のサブフレームに位置すると決定するステップを含み、ここでＬ＝７、及びＫ２＝４である、請求項１８に記載の方法。
【請求項２１】
プログラム命令を記憶したメモリと、
前記メモリに接続されたプロセッサであり、請求項１乃至２０のいずれか１項記載の方法を実行するために前記命令を実行するプロセッサと、
を含む、装置。
【請求項２２】
命令を含むコンピュータ読取可能記憶媒体であって、命令が実行されたときに、前記請求項１乃至２０のいずれか１項記載の方法を実行する、コンピュータ読取可能記憶媒体。
【発明の詳細な説明】
【技術分野】
【０００１】
本発明は、モバイル通信技術の分野に関し、詳細には制御チャネル資源割当方法及び装置に関する。
【背景技術】
【０００２】
時分割多重法がＴＤＤ（Ｔｉｍｅ  Ｄｉｖｉｓｉｏｎ  Ｄｕｐｌｅｘ，時分割多重）方式のアップリンク送信に使用される。
【０００３】
ＬＴＥ（Ｌｏｎｇ  Ｔｅｒｍ  Ｅｖｏｌｕｔｉｏｎ，ロングタームエボルーション）ＴＤＤ方式では、表１に具体的に示されている７つのアップリンク−ダウンリンクサブフレーム構成を定義する。異なるアップリンク−ダウンリンクサブフレーム構成が、異なるアップリンク−ダウンリンクサービス要件を有するシナリオに適用され得る。
【０００４】
【表１】
2019083540.tif 000003
【０００５】
ＴＤＤ方式のサブフレームは、アップリンクサブフレーム、ダウンリンクサブフレーム、及び特殊サブフレームの３つの種類に分類され得る。表１において、Ｄはダウンリンクサブフレームを表し、Ｓは特殊サブフレームを表し、Ｕはアップリンクサブフレームを表す。表１から、ＴＤＤ方式においては１つの無線フレーム内で、いくつかのサブフレームはアップリンクサブフレームであり、いくつかのサブフレームはダウンリンクサブフレームであることが理解され得る。言い換えると、１つの無線フレームの持続期間の一部分がアップリンク送信に使用され、また持続期間の一部分がダウンリンク送信に使用される。
【０００６】
特殊サブフレームの構造が図１に示されている。特殊サブフレームは３つの部分、すなわち、ＤｗＰＴＳ（Ｄｏｗｎｌｉｎｋ  Ｐｉｌｏｔ  Ｔｉｍｅ  Ｓｌｏｔ，ダウンリンクパイロットタイムスロット）、ガード期間（Ｇｕａｒｄ  Ｐｅｒｉｏｄ，ガード期間）、及びＵｐＰＴＳ（Ｕｐｌｉｎｋ  Ｐｉｌｏｔ  Ｔｉｍｅ  Ｓｌｏｔ，アップリンクパイロットタイムスロット）を含む。具体的には、ＤｗＰＴＳはダウンリンク送信に使用され、たとえば制御チャネル、データチャネル、同期信号、及びパイロット信号の送信に使用される。ＧＰはガード期間として使用され、アップリンク及びダウンリンクの送信には使用されない。ＵｐＰＴＳはアップリンクＳＲＳ（Ｓｏｕｎｄｉｎｇ  Ｒｅｆｅｒｅｎｃｅ  Ｓｉｇｎａｌ，サウンディング参照信号）又はＰＲＡＣＨ（Ｐｈｙｓｉｃａｌ  Ｒａｎｄｏｍ  Ａｃｃｅｓｓ  Ｃｈａｎｎｅｌ，物理的ランダムアクセスチャネル）を送信するために使用される。
【０００７】
ＴＤＤ方式では、１つの無線フレームの持続期間の一部分がアップリンク送信に使用され、持続期間の一部分がダウンリンク送信に使用される。アップリンクサブフレーム及びダウンリンクサブフレームは、時分割多重法においてＵＥ（Ｕｓｅｒ  Ｅｑｕｉｐｍｅｎｔ，ユーザ機器）のために機能するので、アップリンクデータ送信に使用できるサブフレームの数量が限定される。言い換えると、時分割多重法では、この方式のアップリンクスループット（単位時間当たりのデータ送信量）が小さくなる可能性がある。
【発明の概要】
【０００８】
本発明の実施形態は、時分割多重法では方式のアップリンクスループットが小さくなるという従来技術の問題を解決するための、制御チャネル割当方法及び装置を提供する。
【０００９】
第１の態様によれば、制御チャネル資源割当方法が提供され、この方法は、
ユーザ機器ＵＥによって、物理的アップリンク共有チャネルＰＵＳＣＨを現在の特殊サブフレームで送出するステップと、
ＰＵＳＣＨ送信用のアップリンク資源に応じてＵＥによって、ＰＵＳＣＨに対応する物理的ハイブリッド自動再送要求インジケータチャネルＰＨＩＣＨ資源を決定するステップであって、ＰＵＳＣＨ送信用のアップリンク資源が現在の特殊サブフレームを含む、ＰＨＩＣＨ資源を決定するステップと、
ＵＥによって、ＰＨＩＣＨを決定されたＰＨＩＣＨ資源によって受信するステップとを含む。
【００１０】
第１の態様に関連して、第１の可能な実現方法では、ＰＵＳＣＨ送信用のアップリンク資源に応じてＵＥによって、ＰＵＳＣＨに対応するＰＨＩＣＨ資源を決定するステップが、
ＰＵＳＣＨ送信用のアップリンク資源に応じてＵＥによって、ＰＵＳＣＨに対応するＰＨＩＣＨ資源のサブフレーム位置を決定するステップと、
サブフレーム位置に応じてＰＨＩＣＨ資源のＰＨＩＣＨ群番号を決定するステップと、サブフレーム位置及びＰＨＩＣＨ群番号に応じて、ＰＵＳＣＨに対応するＰＨＩＣＨ資源を決定するステップとを含む。
【００１１】
第１の態様の第１の可能な実現方法に関連して、第２の可能な実現方法では、ＰＵＳＣＨ送信用のアップリンク資源のサブフレームが現在の特殊サブフレームだけであるとき、ＰＵＳＣＨ送信用のアップリンク資源に応じてＵＥによって、ＰＵＳＣＨに対応するＰＨＩＣＨ資源のサブフレーム位置を決定するステップが、
アップリンク−ダウンリンクサブフレーム構成が０であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１若しくは６のとき、Ｋ＝５であり、又はｎ＝１若しくは６のとき、Ｋ＝１０である、或いは
アップリンク−ダウンリンクサブフレーム構成が１であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１若しくは６のとき、Ｋ＝４であり、ｎ＝１若しくは６のとき、Ｋ＝５であり、又はｎ＝１若しくは６のとき、Ｋ＝８である、或いは
アップリンク−ダウンリンクサブフレーム構成が２であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１若しくは６のとき、Ｋ＝４であり、ｎ＝１若しくは６のとき、Ｋ＝５であり、ｎ＝１若しくは６のとき、Ｋ＝７であり、又はｎ＝１若しくは６のとき、Ｋ＝８である、或いは
アップリンク−ダウンリンクサブフレーム構成が３であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が４であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が５であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が６であり、また現在の特殊サブフレームがサブフレームｎであるときに、ＰＨＩＣＨ資源が現在の特殊サブフレームｎからＫ番目のサブフレームに位置すると決定するステップを含み、ここで
ｎ＝１若しくは６のとき、Ｋ＝４であり、
ｎ＝１若しくは６のとき、Ｋ＝５であり、
ｎ＝１若しくは６のとき、Ｋ＝８であり、
ｎ＝１若しくは６のとき、Ｋ＝９であり、又は
ｎ＝１若しくは６のとき、Ｋ＝１０である。
【００１２】
第１の態様の第１の可能な実現方法に関連して、第３の可能な実現方法では、ＰＵＳＣＨ送信用のアップリンク資源のサブフレームが現在の特殊サブフレーム、及び現在の特殊サブフレームとバンドルされた協調サブフレームを含むとき、ＰＵＳＣＨ送信用のアップリンク資源に応じてＵＥによって、ＰＵＳＣＨに対応するＰＨＩＣＨ資源のサブフレーム位置を決定するステップが、
協調サブフレームに応じて、ＰＵＳＣＨに対応するＰＨＩＣＨ資源のサブフレーム位置を決定するステップを含む。
【００１３】
第１の態様の第３の可能な実現方法に関連して、第４の可能な実現方法では、協調サブフレームが、現在の特殊サブフレームの無線フレーム内の少なくとも１つのアップリンクサブフレーム、及び／又は、無線フレーム内の、現在の特殊サブフレーム以外の他の特殊サブフレームを含む。
【００１４】
第１の態様の第３又は第４の可能な実現方法に関連して、第５の可能な実現方法では、ＰＵＳＣＨ送信用のアップリンク資源に応じてＵＥによって、ＰＵＳＣＨに対応するＰＨＩＣＨ資源のサブフレーム位置を決定するステップが、
協調サブフレーム内の最終サブフレームＬに応じて、ＰＵＳＣＨに対応するＰＨＩＣＨ資源のサブフレーム位置を決定するステップを含む。
【００１５】
第１の態様の第５の可能な実現方法に関連して、第６の可能な実現方法では、協調サブフレーム内の最終サブフレームＬに応じて、ＰＵＳＣＨに対応するＰＨＩＣＨ資源のサブフレーム位置を決定するステップが、
アップリンク−ダウンリンクサブフレーム構成が０である場合には、無線フレーム内の特殊サブフレーム１及び６が無線フレーム内のサブフレーム２、３、４、７、８、及び９とバンドルされるときに、ＰＨＩＣＨ資源が最終サブフレームＬからＫ番目のサブフレームに位置すると決定するステップを含み、ここでＬ＝９、及びＫ＝６である、或いは
アップリンク−ダウンリンクサブフレーム構成が１である場合には、無線フレーム内の特殊サブフレーム１及び６が無線フレーム内のサブフレーム２、３、７、及び８とバンドルされるときに、ＰＨＩＣＨ資源が最終サブフレームＬからＫ番目のサブフレームに位置すると決定するステップを含み、ここでＬ＝８、及びＫ＝６である、或いは
アップリンク−ダウンリンクサブフレーム構成が２である場合には、無線フレーム内の特殊サブフレーム１及び６が無線フレーム内のサブフレーム２及び７とバンドルされるときに、ＰＨＩＣＨ資源が最終サブフレームＬからＫ番目のサブフレームに位置すると決定するステップを含み、ここでＬ＝７、及びＫ＝６、９、若しくは１９である、或いは
アップリンク−ダウンリンクサブフレーム構成が３である場合には、無線フレーム内の特殊サブフレーム１が無線フレーム内のサブフレーム２、３、及び４とバンドルされるときに、ＰＨＩＣＨ資源が最終サブフレームＬからＫ番目のサブフレームに位置すると決定するステップを含み、ここでＬ＝４、及びＫ＝１６である、或いは
アップリンク−ダウンリンクサブフレーム構成が５である場合には、無線フレーム内の特殊サブフレーム１が無線フレーム内のサブフレーム２とバンドルされるときに、ＰＨＩＣＨ資源がサブフレーム２からＫ番目のサブフレームに位置すると決定するステップを含み、ここでＫ＝５、１５、若しくは２５である、或いは
アップリンク−ダウンリンクサブフレーム構成が６である場合には、無線フレーム内の特殊サブフレーム１及び６が無線フレーム内のサブフレーム２、３、４、７、及び８とバンドルされるときに、ＰＨＩＣＨ資源が最終サブフレームＬからＫ番目のサブフレームに位置すると決定するステップを含み、ここでＬ＝８、及びＫ＝１７である。
【００１６】
第１の態様の第５の可能な実現方法に関連して、第７の可能な実現方法では、アップリンク−ダウンリンクサブフレーム構成が２である場合には、無線フレーム内の特殊サブフレーム１と無線フレーム内のサブフレーム２がバンドルされて第１のバンドルフレームを形成し、また無線フレーム内の特殊サブフレーム６と無線フレーム内のサブフレーム７がバンドルされて第２のバンドルフレームを形成するときに、協調サブフレーム内の最終サブフレームＬに応じて、ＰＵＳＣＨに対応するＰＨＩＣＨ資源のサブフレーム位置を決定するステップが、
第１のバンドルフレームに対応する第１のＰＨＩＣＨ資源が最終サブフレームＬからＫ１番目のサブフレームに位置すると決定するステップを含み、ここでＬ＝２、及びＫ１＝４であり、また
第２のバンドルフレームに対応する第２のＰＨＩＣＨ資源が最終サブフレームＬからＫ２番目のサブフレームに位置すると決定するステップを含み、ここでＬ＝７、及びＫ２＝４である。
【００１７】
第１の態様の第５の可能な実現方法に関連して、第８の可能な実現方法では、アップリンク−ダウンリンクサブフレーム構成が３である場合には、無線フレーム内の特殊サブフレーム１と無線フレーム内のサブフレーム２及び３とがバンドルされて第１のバンドルフレームを形成し、無線フレーム内のサブフレーム４と、次の無線フレーム内の特殊サブフレーム１と、次の無線フレーム内のサブフレーム２とがバンドルされて第２のバンドルフレームを形成し、また次の無線フレーム内のサブフレーム３及び４がバンドルされて第３のバンドルフレームを形成するときに、協調サブフレーム内の最終サブフレームＬに応じて、ＰＵＳＣＨに対応するＰＨＩＣＨ資源のサブフレーム位置を決定するステップが、
第１のバンドルフレームに対応する第１のＰＨＩＣＨ資源が最終サブフレームＬからＫ番目のサブフレームに位置すると決定するステップを含み、ここでＬ＝３、及びＫ＝６であり、
第２のバンドルフレームに対応する第２のＰＨＩＣＨ資源が最終サブフレームＬからＫ番目のサブフレームに位置すると決定するステップを含み、ここでＬ＝２、及びＫ＝６であり、また
第３のバンドルフレームに対応する第３のＰＨＩＣＨ資源が最終サブフレームＬからＫ番目のサブフレームに位置すると決定するステップを含み、ここでＬ＝４、及びＫ＝６である。
【００１８】
第１の態様の第１から第８の可能な実現方法のいずれか１つに関連して、第９の可能な実現方法では、ＰＨＩＣＨ資源のＰＨＩＣＨ群番号をサブフレーム位置に応じて決定するステップが、
ＰＨＩＣＨ資源に対応するサブフレーム位置に応じて、またＰＨＩＣＨ群番号表示因子ＩＰＨＩＣＨを使用することによって、ＰＵＳＣＨに対応するＰＨＩＣＨ群番号を決定するステップを含む。
【００１９】
第１の態様の第９の可能な実現方法に関連して、第１０の可能な実現方法では、サブフレーム位置に応じてＰＨＩＣＨ資源のＰＨＩＣＨ群番号を決定するステップが、
アップリンク−ダウンリンクサブフレーム構成が０であるとき、現在の特殊サブフレームがサブフレームｎであり、ＰＨＩＣＨ資源が特殊サブフレームｎからＫ番目のサブフレームに位置し、ここでｎ＝１又は６、Ｋ＝５のときに、サブフレーム２、４、７、及び９に対応するＰＨＩＣＨ群番号表示因子ＩＰＨＩＣＨが１であり、サブフレーム２、４、７、及び９以外の、現在の特殊サブフレームの無線フレーム内の、他のサブフレームに対応するＩＰＨＩＣＨが０であると決定するステップ、及び、決定ＩＰＨＩＣＨを使用することによって、ＰＵＳＣＨに対応するＰＨＩＣＨ群番号を決定するステップを含み、或いは
アップリンク−ダウンリンクサブフレーム構成が０であるとき、現在の特殊サブフレームがサブフレームｎであり、ＰＨＩＣＨ資源が特殊サブフレームｎからＫ番目のサブフレームに位置し、ここでｎ＝１又は６、Ｋ＝５のときに、サブフレーム１、６、４、及び９に対応するＰＨＩＣＨ群番号表示因子ＩＰＨＩＣＨが１であり、サブフレーム１、６、４、及び９以外の、現在の特殊サブフレームの無線フレーム内の、他のサブフレームに対応するＩＰＨＩＣＨが０であると決定するステップ、及び、決定ＩＰＨＩＣＨを使用することによって、ＰＵＳＣＨに対応するＰＨＩＣＨ群番号を決定するステップを含む。
【００２０】
第１の態様の第９の可能な実現方法に関連して、第１１の可能な実現方法では、サブフレーム位置に応じてＰＨＩＣＨ資源のＰＨＩＣＨ群番号を決定するステップが、
アップリンク−ダウンリンクサブフレーム構成が６であるとき、現在の特殊サブフレームがサブフレームｎであり、ＰＨＩＣＨ資源が特殊サブフレームｎからＫ番目のサブフレームに位置し、ここでｎ＝１又は６、Ｋ＝４のときに、サブフレーム６及び８に対応するＰＨＩＣＨ群番号表示因子ＩＰＨＩＣＨが１であり、サブフレーム６及び８以外の、現在の特殊サブフレームの無線フレーム内の、他のサブフレームに対応するＩＰＨＩＣＨが０であると決定するステップ、及び、決定ＩＰＨＩＣＨを使用することによって、ＰＵＳＣＨに対応するＰＨＩＣＨ群番号を決定するステップを含み、或いは
アップリンク−ダウンリンクサブフレーム構成が６であるとき、現在の特殊サブフレームがサブフレームｎであり、ＰＨＩＣＨ資源が特殊サブフレームｎからＫ番目のサブフレームに位置し、ここでｎ＝１又は６、Ｋ＝４のときに、サブフレーム１及び４に対応するＰＨＩＣＨ群番号表示因子ＩＰＨＩＣＨが１であり、サブフレーム１及び４以外の、現在の特殊サブフレームの無線フレーム内の、他のサブフレームに対応するＩＰＨＩＣＨが０であると決定するステップ、及び、決定ＩＰＨＩＣＨを使用することによって、ＰＵＳＣＨに対応するＰＨＩＣＨ群番号を決定するステップを含む。
【００２１】
第２の態様によれば、制御チャネル資源割当方法が提供され、この方法は、
基地局によって、物理的アップリンク共有チャネルＰＵＳＣＨを現在の特殊サブフレームで受信するステップと、
ＰＵＳＣＨ受信用のアップリンク資源に応じて基地局によって、ＰＵＳＣＨに対応する物理的ハイブリッド自動再送要求インジケータチャネルＰＨＩＣＨ資源を決定するステップであって、アップリンク資源が現在の特殊サブフレームを含む、ＰＨＩＣＨ資源を決定するステップと、
基地局によって、ＰＨＩＣＨを決定されたＰＨＩＣＨ資源によって送信するステップとを含む。
【００２２】
第２の態様に関連して、第１の可能な実現方法では、ＰＵＳＣＨ受信用のアップリンク資源に応じて基地局によって、ＰＵＳＣＨに対応するＰＨＩＣＨ資源を決定するステップが、
ＰＵＳＣＨ受信用のアップリンク資源に応じて基地局によって、ＰＵＳＣＨに対応するＰＨＩＣＨ資源のサブフレーム位置を決定するステップと、
サブフレーム位置に応じてＰＨＩＣＨ資源のＰＨＩＣＨ群番号を決定するステップと、サブフレーム位置及びＰＨＩＣＨ群番号に応じて、ＰＵＳＣＨに対応するＰＨＩＣＨ資源を決定するステップとを含む。
【００２３】
第２の態様の第１の可能な実現方法に関連して、第２の可能な実現方法では、ＰＵＳＣＨ送信用のアップリンク資源のサブフレームが現在の特殊サブフレームだけであるとき、ＰＵＳＣＨ受信用のアップリンク資源に応じて基地局によって、ＰＵＳＣＨに対応するＰＨＩＣＨ資源のサブフレーム位置を決定するステップが、
アップリンク−ダウンリンクサブフレーム構成が０であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１若しくは６のとき、Ｋ＝５であり、又はｎ＝１若しくは６のとき、Ｋ＝１０である、或いは
アップリンク−ダウンリンクサブフレーム構成が１であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１若しくは６のとき、Ｋ＝４であり、ｎ＝１若しくは６のとき、Ｋ＝５であり、又はｎ＝１若しくは６のとき、Ｋ＝８である、或いは
アップリンク−ダウンリンクサブフレーム構成が２であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１若しくは６のとき、Ｋ＝４であり、ｎ＝１若しくは６のとき、Ｋ＝５であり、ｎ＝１若しくは６のとき、Ｋ＝７であり、又はｎ＝１若しくは６のとき、Ｋ＝８である、或いは
アップリンク−ダウンリンクサブフレーム構成が３であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が４であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が５であり、また現在の特殊サブフレームがサブフレームｎであるときに、ＰＨＩＣＨ資源が現在の特殊サブフレームｎからＫ番目のサブフレームに位置すると決定するステップを含み、ここでｎ＝１のとき、Ｋ＝４、５、６、７、８、又は９である、或いは
アップリンク−ダウンリンクサブフレーム構成が６であり、また現在の特殊サブフレームがサブフレームｎであるときに、ＰＨＩＣＨ資源が現在の特殊サブフレームｎからＫ番目のサブフレームに位置すると決定するステップを含み、ここで
ｎ＝１若しくは６のとき、Ｋ＝４であり、
ｎ＝１若しくは６のとき、Ｋ＝５であり、
ｎ＝１若しくは６のとき、Ｋ＝８であり、
ｎ＝１若しくは６のとき、Ｋ＝９であり、又は
ｎ＝１若しくは６のとき、Ｋ＝１０である。
【００２４】
第２の態様の第１の可能な実現方法に関連して、第３の可能な実現方法では、ＰＵＳＣＨ送信用のアップリンク資源のサブフレームが現在の特殊サブフレーム、及び現在の特殊サブフレームとバンドルされた協調サブフレームを含むとき、ＰＵＳＣＨ受信用のアップリンク資源に応じて基地局によって、ＰＵＳＣＨに対応するＰＨＩＣＨ資源のサブフレーム位置を決定するステップが、
協調サブフレームに応じて、ＰＵＳＣＨに対応するＰＨＩＣＨ資源のサブフレーム位置を決定するステップを含む。
【００２５】
第２の態様の第３の可能な実現方法に関連して、第４の可能な実現方法では、協調サブフレームが、現在の特殊サブフレームの無線フレーム内の少なくとも１つのアップリンクサブフレーム、及び／又は、無線フレーム内の、現在の特殊サブフレーム以外の他の特殊サブフレームを含む。
【００２６】
第２の態様の第３又は第４の可能な実現方法に関連して、第５の可能な実現方法では、ＰＵＳＣＨ受信用のアップリンク資源に応じて基地局によって、ＰＵＳＣＨに対応するＰＨＩＣＨ資源のサブフレーム位置を決定するステップが、
協調サブフレーム内の最終サブフレームＬに応じて、ＰＵＳＣＨに対応するＰＨＩＣＨ資源のサブフレーム位置を決定するステップを含む。
【００２７】
第２の態様の第５の可能な実現方法に関連して、第６の可能な実現方法では、協調サブフレーム内の最終サブフレームＬに応じて、ＰＵＳＣＨに対応するＰＨＩＣＨ資源のサブフレーム位置を決定するステップが、
アップリンク−ダウンリンクサブフレーム構成が０である場合には、無線フレーム内の特殊サブフレーム１及び６が無線フレーム内のサブフレーム２、３、４、７、８、及び９とバンドルされるときに、ＰＨＩＣＨ資源が最終サブフレームＬからＫ番目のサブフレームに位置すると決定するステップを含み、ここでＬ＝９、及びＫ＝６である、或いは
アップリンク−ダウンリンクサブフレーム構成が１である場合には、無線フレーム内の特殊サブフレーム１及び６が無線フレーム内のサブフレーム２、３、７、及び８とバンドルされるときに、ＰＨＩＣＨ資源が最終サブフレームＬからＫ番目のサブフレームに位置すると決定するステップを含み、ここでＬ＝８、及びＫ＝６である、或いは
アップリンク−ダウンリンクサブフレーム構成が２である場合には、無線フレーム内の特殊サブフレーム１及び６が無線フレーム内のサブフレーム２及び７とバンドルされるときに、ＰＨＩＣＨ資源が最終サブフレームＬからＫ番目のサブフレームに位置すると決定するステップを含み、ここでＬ＝７、及びＫ＝６、９、若しくは１９である、或いは
アップリンク−ダウンリンクサブフレーム構成が３である場合には、無線フレーム内の特殊サブフレーム１が無線フレーム内のサブフレーム２、３、及び４とバンドルされるときに、ＰＨＩＣＨ資源が最終サブフレームＬからＫ番目のサブフレームに位置すると決定するステップを含み、ここでＬ＝４、及びＫ＝１６である、或いは
アップリンク−ダウンリンクサブフレーム構成が５である場合には、無線フレーム内の特殊サブフレーム１が無線フレーム内のサブフレーム２とバンドルされるときに、ＰＨＩＣＨ資源がサブフレーム２からＫ番目のサブフレームに位置すると決定するステップを含み、ここでＫ＝５、１５、若しくは２５である、或いは
アップリンク−ダウンリンクサブフレーム構成が６である場合には、無線フレーム内の特殊サブフレーム１及び６が無線フレーム内のサブフレーム２、３、４、７、及び８とバンドルされるときに、ＰＨＩＣＨ資源が最終サブフレームＬからＫ番目のサブフレームに位置すると決定するステップを含み、ここでＬ＝８、及びＫ＝１７である。
【００２８】
第２の態様の第５の可能な実現方法に関連して、第７の可能な実現方法では、アップリンク−ダウンリンクサブフレーム構成が２である場合には、無線フレーム内の特殊サブフレーム１と無線フレーム内のサブフレーム２がバンドルされて第１のバンドルフレームを形成し、また無線フレーム内の特殊サブフレーム６と無線フレーム内のサブフレーム７がバンドルされて第２のバンドルフレームを形成するときに、協調サブフレーム内の最終サブフレームＬに応じて、ＰＵＳＣＨに対応するＰＨＩＣＨ資源のサブフレーム位置を決定するステップが、
第１のバンドルフレームに対応する第１のＰＨＩＣＨ資源が最終サブフレームＬからＫ１番目のサブフレームに位置すると決定するステップを含み、ここでＬ＝２、及びＫ１＝４であり、また
第２のバンドルフレームに対応する第２のＰＨＩＣＨ資源が最終サブフレームＬからＫ２番目のサブフレームに位置すると決定するステップを含み、ここでＬ＝７、及びＫ２＝４である。
【００２９】
第２の態様の第５の可能な実現方法に関連して、第８の可能な実現方法では、アップリンク−ダウンリンクサブフレーム構成が３である場合には、無線フレーム内の特殊サブフレーム１と無線フレーム内のサブフレーム２及び３とがバンドルされて第１のバンドルフレームを形成し、無線フレーム内のサブフレーム４と、次の無線フレーム内の特殊サブフレーム１と、次の無線フレーム内のサブフレーム２とがバンドルされて第２のバンドルフレームを形成し、また次の無線フレーム内のサブフレーム３及び４がバンドルされて第３のバンドルフレームを形成するときに、協調サブフレーム内の最終サブフレームＬに応じて、ＰＵＳＣＨに対応するＰＨＩＣＨ資源のサブフレーム位置を決定するステップが、
第１のバンドルフレームに対応する第１のＰＨＩＣＨ資源が最終サブフレームＬからＫ番目のサブフレームに位置すると決定するステップを含み、ここでＬ＝３、及びＫ＝６であり、
第２のバンドルフレームに対応する第２のＰＨＩＣＨ資源が最終サブフレームＬからＫ番目のサブフレームに位置すると決定するステップを含み、ここでＬ＝２、及びＫ＝６であり、また
第３のバンドルフレームに対応する第３のＰＨＩＣＨ資源が最終サブフレームＬからＫ番目のサブフレームに位置すると決定するステップを含み、ここでＬ＝４、及びＫ＝６である。
【００３０】
第２の態様の第８の可能な実現方法のいずれか１つに関連して、第９の可能な実現方法では、ＰＨＩＣＨ資源のＰＨＩＣＨ群番号をサブフレーム位置に応じて決定するステップが、
ＰＨＩＣＨ資源に対応するサブフレーム位置に応じて、またＰＨＩＣＨ群番号表示因子ＩＰＨＩＣＨを使用することによって、ＰＵＳＣＨに対応するＰＨＩＣＨ群番号を決定するステップを含む。
【００３１】
第２の態様の第９の可能な実現方法に関連して、第１０の可能な実現方法では、サブフレーム位置に応じてＰＨＩＣＨ資源のＰＨＩＣＨ群番号を決定するステップが、
アップリンク−ダウンリンクサブフレーム構成が０であるとき、現在の特殊サブフレームがサブフレームｎであり、ＰＨＩＣＨ資源が特殊サブフレームｎからＫ番目のサブフレームに位置し、ここでｎ＝１又は６、Ｋ＝５のときに、サブフレーム２、４、７、及び９に対応するＰＨＩＣＨ群番号表示因子ＩＰＨＩＣＨが１であり、サブフレーム２、４、７、及び９以外の、現在の特殊サブフレームの無線フレーム内の、他のサブフレームに対応するＩＰＨＩＣＨが０であると決定するステップ、及び、決定ＩＰＨＩＣＨを使用することによって、ＰＵＳＣＨに対応するＰＨＩＣＨ群番号を決定するステップを含む、或いは
アップリンク−ダウンリンクサブフレーム構成が０であるとき、現在の特殊サブフレームがサブフレームｎであり、ＰＨＩＣＨ資源が特殊サブフレームｎからＫ番目のサブフレームに位置し、ここでｎ＝１又は６、Ｋ＝５のときに、サブフレーム１、６、４、及び９に対応するＰＨＩＣＨ群番号表示因子ＩＰＨＩＣＨが１であり、サブフレーム１、６、４、及び９以外の、現在の特殊サブフレームの無線フレーム内の、他のサブフレームに対応するＩＰＨＩＣＨが０であると決定するステップ、及び、決定ＩＰＨＩＣＨを使用することによって、ＰＵＳＣＨに対応するＰＨＩＣＨ群番号を決定するステップを含む。
【００３２】
第２の態様の第９の可能な実現方法に関連して、第１１の可能な実現方法では、サブフレーム位置に応じてＰＨＩＣＨ資源のＰＨＩＣＨ群番号を決定するステップが、
アップリンク−ダウンリンクサブフレーム構成が６であるとき、現在の特殊サブフレームがサブフレームｎであり、ＰＨＩＣＨ資源が特殊サブフレームｎからＫ番目のサブフレームに位置し、ここでｎ＝１又は６、Ｋ＝４のときに、サブフレーム６及び８に対応するＰＨＩＣＨ群番号表示因子ＩＰＨＩＣＨが１であり、サブフレーム６及び８以外の、現在の特殊サブフレームの無線フレーム内の、他のサブフレームに対応するＩＰＨＩＣＨが０であると決定するステップ、及び、決定ＩＰＨＩＣＨを使用することによって、ＰＵＳＣＨに対応するＰＨＩＣＨ群番号を決定するステップを含み、或いは
アップリンク−ダウンリンクサブフレーム構成が６であるとき、現在の特殊サブフレームがサブフレームｎであり、ＰＨＩＣＨ資源が特殊サブフレームｎからＫ番目のサブフレームに位置し、ここでｎ＝１又は６、Ｋ＝４のときに、サブフレーム１及び４に対応するＰＨＩＣＨ群番号表示因子ＩＰＨＩＣＨが１であり、サブフレーム１及び４以外の、現在の特殊サブフレームの無線フレーム内の、他のサブフレームに対応するＩＰＨＩＣＨが０であると決定するステップ、及び、決定ＩＰＨＩＣＨを使用することによって、ＰＵＳＣＨに対応するＰＨＩＣＨ群番号を決定するステップを含む。
【００３３】
第３の態様によれば、ユーザ機器が提供され、このユーザ機器は、
物理的アップリンク共有チャネルＰＵＳＣＨを現在の特殊サブフレームで送出するように構成された送出ユニットと、
ＰＵＳＣＨ送信用のアップリンク資源に応じて、ＰＵＳＣＨに対応する物理的ハイブリッド自動再送要求インジケータチャネルＰＨＩＣＨ資源を決定するように構成された決定ユニットであって、ＰＵＳＣＨ送信用のアップリンク資源が現在の特殊サブフレームを含む、決定ユニットと、
ＰＨＩＣＨを決定されたＰＨＩＣＨ資源によって受信するように構成された受信ユニットとを備える。
【００３４】
第３の態様に関連して、第１の可能な実現方法では、決定ユニットが具体的に、
ＰＵＳＣＨ送信用のアップリンク資源に応じて、ＰＵＳＣＨに対応するＰＨＩＣＨ資源のサブフレーム位置を決定するように構成されたサブフレーム位置決定モジュールと、
サブフレーム位置に応じてＰＨＩＣＨ資源のＰＨＩＣＨ群番号を決定するように、また、サブフレーム位置及びＰＨＩＣＨ群番号に応じて、ＰＵＳＣＨに対応するＰＨＩＣＨ資源を決定するように、構成された資源群番号決定モジュールとを備える。
【００３５】
第３の態様の第１の可能な実現方法に関連して、第２の可能な実現では、ＰＵＳＣＨ送信用のアップリンク資源のサブフレームが現在の特殊サブフレームだけであるとき、サブフレーム位置決定モジュールがさらに、
アップリンク−ダウンリンクサブフレーム構成が０であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１若しくは６のとき、Ｋ＝５であり、又はｎ＝１若しくは６のとき、Ｋ＝１０である、或いは
アップリンク−ダウンリンクサブフレーム構成が１であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１若しくは６のとき、Ｋ＝４であり、ｎ＝１若しくは６のとき、Ｋ＝５であり、又はｎ＝１若しくは６のとき、Ｋ＝８である、或いは
アップリンク−ダウンリンクサブフレーム構成が２であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１若しくは６のとき、Ｋ＝４であり、ｎ＝１若しくは６のとき、Ｋ＝５であり、ｎ＝１若しくは６のとき、Ｋ＝７であり、又はｎ＝１若しくは６のとき、Ｋ＝８である、或いは
アップリンク−ダウンリンクサブフレーム構成が３であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が４であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が５であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が６であり、また現在の特殊サブフレームがサブフレームｎであるときに、ＰＨＩＣＨ資源が現在の特殊サブフレームｎからＫ番目のサブフレームに位置すると決定するように構成され、ここで
ｎ＝１若しくは６のとき、Ｋ＝４であり、
ｎ＝１若しくは６のとき、Ｋ＝５であり、
ｎ＝１若しくは６のとき、Ｋ＝８であり、
ｎ＝１若しくは６のとき、Ｋ＝９であり、又は
ｎ＝１若しくは６のとき、Ｋ＝１０である。
【００３６】
第３の態様の第１の可能な実現方法に関連して、第３の可能な実現方法では、ＰＵＳＣＨ送信用のアップリンク資源のサブフレームが現在の特殊サブフレーム、及び現在の特殊サブフレームとバンドルされた協調サブフレームを含むとき、サブフレーム位置決定モジュールがさらに、協調サブフレームに応じて、ＰＵＳＣＨに対応するＰＨＩＣＨ資源のサブフレーム位置を決定するように構成される。
【００３７】
第３の態様の第３の可能な実現方法に関連して、第４の可能な実現方法では、サブフレーム位置決定モジュールがさらに、協調サブフレームに含まれる、現在の特殊サブフレームの無線フレーム内の、少なくとも１つのアップリンクサブフレーム、及び／又は、協調サブフレームに含まれる、現在の特殊サブフレーム以外の無線フレーム内の、他の特殊サブフレームを使用することによって、ＰＵＳＣＨに対応するＰＨＩＣＨ資源のサブフレーム位置を決定するように構成される。
【００３８】
第３の態様の第３又は第４の可能な実現方法に関連して、第５の可能な実現方法では、サブフレーム位置決定モジュールがさらに、協調サブフレーム内の最終サブフレームＬに応じて、ＰＵＳＣＨに対応するＰＨＩＣＨ資源のサブフレーム位置を決定するように構成される。
【００３９】
第３の態様の第５の可能な実現方法に関連して、第６の可能な実現方法では、サブフレーム位置決定モジュールがさらに、
アップリンク−ダウンリンクサブフレーム構成が０である場合には、無線フレーム内の特殊サブフレーム１及び６が無線フレーム内のサブフレーム２、３、４、７、８、及び９とバンドルされるときに、ＰＨＩＣＨ資源が最終サブフレームＬからＫ番目のサブフレームに位置すると決定するように構成され、ここでＬ＝９、及びＫ＝６である、或いは
アップリンク−ダウンリンクサブフレーム構成が１である場合には、無線フレーム内の特殊サブフレーム１及び６が無線フレーム内のサブフレーム２、３、７、及び８とバンドルされるときに、ＰＨＩＣＨ資源が最終サブフレームＬからＫ番目のサブフレームに位置すると決定するように構成され、ここでＬ＝８、及びＫ＝６である、或いは
アップリンク−ダウンリンクサブフレーム構成が２である場合には、無線フレーム内の特殊サブフレーム１及び６が無線フレーム内のサブフレーム２及び７とバンドルされるときに、ＰＨＩＣＨ資源が最終サブフレームＬからＫ番目のサブフレームに位置すると決定するように構成され、ここでＬ＝７、及びＫ＝６、９、又は１９である、或いは
アップリンク−ダウンリンクサブフレーム構成が３である場合には、無線フレーム内の特殊サブフレーム１が無線フレーム内のサブフレーム２、３、及び４とバンドルされるときに、ＰＨＩＣＨ資源が最終サブフレームＬからＫ番目のサブフレームに位置すると決定するように構成され、ここでＬ＝４、及びＫ＝１６である、或いは
アップリンク−ダウンリンクサブフレーム構成が５である場合には、無線フレーム内の特殊サブフレーム１が無線フレーム内のサブフレーム２とバンドルされるときに、ＰＨＩＣＨ資源が最終サブフレームＬからＫ番目のサブフレームに位置すると決定するように構成され、ここでＬ＝２、及びＫ＝５、１５、又は２５である、或いは
アップリンク−ダウンリンクサブフレーム構成が６である場合には、無線フレーム内の特殊サブフレーム１及び６が無線フレーム内のサブフレーム２、３、４、７、及び８とバンドルされるときに、ＰＨＩＣＨ資源が最終サブフレームＬからＫ番目のサブフレームに位置すると決定するように構成され、ここでＬ＝８、及びＫ＝１７である。
【００４０】
第３の態様の第５の可能な実現方法に関連して、第７の可能な実現方法では、アップリンク−ダウンリンクサブフレーム構成が２である場合には、無線フレーム内の特殊サブフレーム１と無線フレーム内のサブフレーム２がバンドルされて第１のバンドルフレームを形成し、また無線フレーム内の特殊サブフレーム６と無線フレーム内のサブフレーム７がバンドルされて第２のバンドルフレームを形成するときに、サブフレーム位置決定モジュールがさらに、
第１のバンドルフレームに対応する第１のＰＨＩＣＨ資源が最終サブフレームＬからＫ１番目のサブフレームに位置すると決定するように構成され、ここでＬ＝２、及びＫ１＝４であり、また
第２のバンドルフレームに対応する第２のＰＨＩＣＨ資源が最終サブフレームＬからＫ２番目のサブフレームに位置すると決定するように構成され、ここでＬ＝７、及びＫ２＝４である。
【００４１】
第３の態様の第５の可能な実現方法に関連して、第８の可能な実現方法では、アップリンク−ダウンリンクサブフレーム構成が３である場合には、無線フレーム内の特殊サブフレーム１と無線フレーム内のサブフレーム２及び３とがバンドルされて第１のバンドルフレームを形成し、無線フレーム内のサブフレーム４と、次の無線フレーム内の特殊サブフレーム１と、次の無線フレーム内のサブフレーム２とがバンドルされて第２のバンドルフレームを形成し、次の無線フレーム内のサブフレーム３及び４がバンドルされて第３のバンドルフレームを形成するときに、サブフレーム位置決定モジュールがさらに、
第１のバンドルフレームに対応する第１のＰＨＩＣＨ資源が最終サブフレームＬからＫ番目のサブフレームに位置すると決定するように構成され、ここでＬ＝３、及びＫ＝６であり、
第２のバンドルフレームに対応する第２のＰＨＩＣＨ資源が最終サブフレームＬからＫ番目のサブフレームに位置すると決定するように構成され、ここでＬ＝２、及びＫ＝６であり、また
第３のバンドルフレームに対応する第３のＰＨＩＣＨ資源が最終サブフレームＬからＫ番目のサブフレームに位置すると決定するように構成され、ここでＬ＝４、及びＫ＝６である。
【００４２】
第３の態様の第１から第８の可能な実現方法のいずれか１つに関連して、第９の可能な実現方法では、資源群番号決定モジュールがさらに、ＰＨＩＣＨ資源に対応するサブフレーム位置に応じて、またＰＨＩＣＨ群番号表示因子ＩＰＨＩＣＨを使用することによって、ＰＵＳＣＨに対応するＰＨＩＣＨ群番号を決定するように構成される。
【００４３】
第３の態様の第９の可能な実現方法に関連して、第１０の可能な実現方法では、資源群番号決定モジュールがさらに、
アップリンク−ダウンリンクサブフレーム構成が０であるとき、現在の特殊サブフレームがサブフレームｎであり、ＰＨＩＣＨ資源が特殊サブフレームｎからＫ番目のサブフレームに位置し、ここでｎ＝１又は６、Ｋ＝５のときに、サブフレーム２、４、７、及び９に対応するＰＨＩＣＨ群番号表示因子ＩＰＨＩＣＨが１であり、サブフレーム２、４、７、及び９以外の、現在の特殊サブフレームの無線フレーム内の、他のサブフレームに対応するＩＰＨＩＣＨが０であると決定するように、また、決定ＩＰＨＩＣＨを使用することによって、ＰＵＳＣＨに対応するＰＨＩＣＨ群番号を決定するように構成され、或いは
アップリンク−ダウンリンクサブフレーム構成が０であるとき、現在の特殊サブフレームがサブフレームｎであり、ＰＨＩＣＨ資源が特殊サブフレームｎからＫ番目のサブフレームに位置し、ここでｎ＝１又は６、Ｋ＝５のときに、サブフレーム１、６、４、及び９に対応するＰＨＩＣＨ群番号表示因子ＩＰＨＩＣＨが１であり、サブフレーム１、６、４、及び９以外の、現在の特殊サブフレームの無線フレーム内の、他のサブフレームに対応するＩＰＨＩＣＨが０であると決定するように、また、決定ＩＰＨＩＣＨを使用することによって、ＰＵＳＣＨに対応するＰＨＩＣＨ群番号を決定するように構成される。
【００４４】
第３の態様の第９の可能な実現方法に関連して、第１１の可能な実現方法では、資源群番号決定モジュールがさらに、
アップリンク−ダウンリンクサブフレーム構成が６であるとき、現在の特殊サブフレームがサブフレームｎであり、ＰＨＩＣＨ資源が特殊サブフレームｎからＫ番目のサブフレームに位置し、ここでｎ＝１又は６、Ｋ＝４のときに、サブフレーム６及び８に対応するＰＨＩＣＨ群番号表示因子ＩＰＨＩＣＨが１であり、サブフレーム６及び８以外の、現在の特殊サブフレームの無線フレーム内の、他のサブフレームに対応するＩＰＨＩＣＨが０であると決定するように、また、決定ＩＰＨＩＣＨを使用することによって、ＰＵＳＣＨに対応するＰＨＩＣＨ群番号を決定するように構成され、或いは
アップリンク−ダウンリンクサブフレーム構成が６であるとき、現在の特殊サブフレームがサブフレームｎであり、ＰＨＩＣＨ資源が特殊サブフレームｎからＫ番目のサブフレームに位置し、ここでｎ＝１又は６、Ｋ＝４のときに、サブフレーム１及び４に対応するＰＨＩＣＨ群番号表示因子ＩＰＨＩＣＨが１であり、サブフレーム１及び４以外の、現在の特殊サブフレームの無線フレーム内の、他のサブフレームに対応するＩＰＨＩＣＨが０であると決定するように、また、決定ＩＰＨＩＣＨを使用することによって、ＰＵＳＣＨに対応するＰＨＩＣＨ群番号を決定するように構成される。
【００４５】
第４の態様によれば、基地局が提供され、この基地局は、
物理的アップリンク共有チャネルＰＵＳＣＨを現在の特殊サブフレームで受信するように構成された受信ユニットと、
ＰＵＳＣＨ受信用のアップリンク資源に応じて、ＰＵＳＣＨに対応する物理的ハイブリッド自動再送要求インジケータチャネルＰＨＩＣＨ資源を決定するように構成された決定ユニットであって、アップリンク資源が現在の特殊サブフレームを含む、決定ユニットと、
ＰＨＩＣＨを決定されたＰＨＩＣＨ資源によって送信するように構成された送信ユニットとを備える。
【００４６】
第４の態様に関連して、第１の可能な実現方法では、決定ユニットが、
ＰＵＳＣＨ受信用のアップリンク資源に応じて、ＰＵＳＣＨに対応するＰＨＩＣＨ資源のサブフレーム位置を決定するように構成されたサブフレーム位置決定モジュールと、
サブフレーム位置に応じてＰＨＩＣＨ資源のＰＨＩＣＨ群番号を決定するように、また、サブフレーム位置及びＰＨＩＣＨ群番号に応じて、ＰＵＳＣＨに対応するＰＨＩＣＨ資源を決定するように、構成された資源群番号決定モジュールとを備える。
【００４７】
第４の態様の第１の可能な実現方法に関連して、第２の可能な実現では、ＰＵＳＣＨ送信用のアップリンク資源のサブフレームが現在の特殊サブフレームだけであるとき、サブフレーム位置決定モジュールがさらに、
アップリンク−ダウンリンクサブフレーム構成が０であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１若しくは６のとき、Ｋ＝５であり、又はｎ＝１若しくは６のとき、Ｋ＝１０である、或いは
アップリンク−ダウンリンクサブフレーム構成が１であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１若しくは６のとき、Ｋ＝４であり、ｎ＝１若しくは６のとき、Ｋ＝５であり、又はｎ＝１若しくは６のとき、Ｋ＝８である、或いは
アップリンク−ダウンリンクサブフレーム構成が２であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１若しくは６のとき、Ｋ＝４であり、ｎ＝１若しくは６のとき、Ｋ＝５であり、ｎ＝１若しくは６のとき、Ｋ＝７であり、又はｎ＝１若しくは６のとき、Ｋ＝８である、或いは
アップリンク−ダウンリンクサブフレーム構成が３であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が４であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が５であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が６であり、また現在の特殊サブフレームがサブフレームｎであるときに、ＰＨＩＣＨ資源が現在の特殊サブフレームｎからＫ番目のサブフレームに位置すると決定するように構成され、ここで
ｎ＝１若しくは６のとき、Ｋ＝４であり、
ｎ＝１若しくは６のとき、Ｋ＝５であり、
ｎ＝１若しくは６のとき、Ｋ＝８であり、
ｎ＝１若しくは６のとき、Ｋ＝９であり、又は
ｎ＝１若しくは６のとき、Ｋ＝１０である。
【００４８】
第４の態様の第１の可能な実現方法に関連して、第３の可能な実現方法では、ＰＵＳＣＨ送信用のアップリンク資源のサブフレームが現在の特殊サブフレーム、及び現在の特殊サブフレームとバンドルされた協調サブフレームを含むとき、サブフレーム位置決定モジュールがさらに、協調サブフレームに応じて、ＰＵＳＣＨに対応するＰＨＩＣＨ資源のサブフレーム位置を決定するように構成される。
【００４９】
第４の態様の第３の可能な実現方法に関連して、第４の可能な実現方法では、サブフレーム位置決定モジュールがさらに、協調サブフレームに含まれる、現在の特殊サブフレームの無線フレーム内の、少なくとも１つのアップリンクサブフレーム、及び／又は、現在の特殊サブフレーム以外の無線フレーム内の、他の特殊サブフレームを使用することによって、ＰＵＳＣＨに対応するＰＨＩＣＨ資源のサブフレーム位置を決定するように構成される。
【００５０】
第４の態様の第３又は第４の可能な実現方法に関連して、第５の可能な実現方法ではサブフレーム位置決定モジュールがさらに、協調サブフレーム内の最終サブフレームＬに応じて、ＰＵＳＣＨに対応するＰＨＩＣＨ資源のサブフレーム位置を決定するように構成される。
【００５１】
第４の態様の第５の可能な実現方法に関連して、第６の可能な実現方法では、サブフレーム位置決定モジュールがさらに、
アップリンク−ダウンリンクサブフレーム構成が０である場合には、無線フレーム内の特殊サブフレーム１及び６が無線フレーム内のサブフレーム２、３、４、７、８、及び９とバンドルされるときに、ＰＨＩＣＨ資源が最終サブフレームＬからＫ番目のサブフレームに位置すると決定するように構成され、ここでＬ＝９、及びＫ＝６である、或いは
アップリンク−ダウンリンクサブフレーム構成が１である場合には、無線フレーム内の特殊サブフレーム１及び６が無線フレーム内のサブフレーム２、３、７、及び８とバンドルされるときに、ＰＨＩＣＨ資源が最終サブフレームＬからＫ番目のサブフレームに位置すると決定するように構成され、ここでＬ＝８、及びＫ＝６である、或いは
アップリンク−ダウンリンクサブフレーム構成が２である場合には、無線フレーム内の特殊サブフレーム１及び６が無線フレーム内のサブフレーム２及び７とバンドルされるときに、ＰＨＩＣＨ資源が最終サブフレームＬからＫ番目のサブフレームに位置すると決定するように構成され、ここでＬ＝７、及びＫ＝６、９、又は１９である、或いは
アップリンク−ダウンリンクサブフレーム構成が３である場合には、無線フレーム内の特殊サブフレーム１が無線フレーム内のサブフレーム２、３、及び４とバンドルされるときに、ＰＨＩＣＨ資源が最終サブフレームＬからＫ番目のサブフレームに位置すると決定するように構成され、ここでＬ＝４、及びＫ＝１６である、或いは
アップリンク−ダウンリンクサブフレーム構成が５である場合には、無線フレーム内の特殊サブフレーム１が無線フレーム内のサブフレーム２とバンドルされるときに、ＰＨＩＣＨ資源が最終サブフレームＬからＫ番目のサブフレームに位置すると決定するように構成され、ここでＬ＝２、及びＫ＝５、１５、又は２５である、或いは
アップリンク−ダウンリンクサブフレーム構成が６である場合には、無線フレーム内の特殊サブフレーム１及び６が無線フレーム内のサブフレーム２、３、４、７、及び８とバンドルされるときに、ＰＨＩＣＨ資源が最終サブフレームＬからＫ番目のサブフレームに位置すると決定するように構成され、ここでＬ＝８、及びＫ＝１７である。
【００５２】
第４の態様の第５の可能な実現方法に関連して、第７の可能な実現方法では、アップリンク−ダウンリンクサブフレーム構成が２である場合には、無線フレーム内の特殊サブフレーム１と無線フレーム内のサブフレーム２がバンドルされて第１のバンドルフレームを形成し、また無線フレーム内の特殊サブフレーム６と無線フレーム内のサブフレーム７がバンドルされて第２のバンドルフレームを形成するときに、サブフレーム位置決定モジュールがさらに、
第１のバンドルフレームに対応する第１のＰＨＩＣＨ資源が最終サブフレームＬからＫ１番目のサブフレームに位置すると決定するように構成され、ここでＬ＝２、及びＫ１＝４であり、また
第２のバンドルフレームに対応する第２のＰＨＩＣＨ資源が最終サブフレームＬからＫ２番目のサブフレームに位置すると決定するように構成され、ここでＬ＝７、及びＫ２＝４である。
【００５３】
第４の態様の第５の可能な実現方法に関連して、第８の可能な実現方法では、アップリンク−ダウンリンクサブフレーム構成が３である場合には、無線フレーム内の特殊サブフレーム１と無線フレーム内のサブフレーム２及び３とがバンドルされて第１のバンドルフレームを形成し、無線フレーム内のサブフレーム４と、次の無線フレーム内の特殊サブフレーム１と、次の無線フレーム内のサブフレーム２とがバンドルされて第２のバンドルフレームを形成し、次の無線フレーム内のサブフレーム３及び４がバンドルされて第３のバンドルフレームを形成するときに、サブフレーム位置決定モジュールがさらに、
第１のバンドルフレームに対応する第１のＰＨＩＣＨ資源が最終サブフレームＬからＫ番目のサブフレームに位置すると決定するように構成され、ここでＬ＝３、及びＫ＝６であり、
第２のバンドルフレームに対応する第２のＰＨＩＣＨ資源が最終サブフレームＬからＫ番目のサブフレームに位置すると決定するように構成され、ここでＬ＝２、及びＫ＝６であり、また
第３のバンドルフレームに対応する第３のＰＨＩＣＨ資源が最終サブフレームＬからＫ番目のサブフレームに位置すると決定するように構成され、ここでＬ＝４、及びＫ＝６である。
【００５４】
第４の態様の第１から第８の可能な実現方法のいずれか１つに関連して、第９の可能な実現方法では、資源群番号決定モジュールがさらに、ＰＨＩＣＨ資源に対応するサブフレーム位置に応じて、またＰＨＩＣＨ群番号表示因子ＩＰＨＩＣＨを使用することによって、ＰＵＳＣＨに対応するＰＨＩＣＨ群番号を決定するように構成される。
【００５５】
第４の態様の第９の可能な実現方法に関連して、第１０の可能な実現方法では、資源群番号決定モジュールがさらに、
アップリンク−ダウンリンクサブフレーム構成が０であるとき、現在の特殊サブフレームがサブフレームｎであり、ＰＨＩＣＨ資源が特殊サブフレームｎからＫ番目のサブフレームに位置し、ここでｎ＝１又は６、Ｋ＝５のときに、サブフレーム２、４、７、及び９に対応するＰＨＩＣＨ群番号表示因子ＩＰＨＩＣＨが１であり、サブフレーム２、４、７、及び９以外の、現在の特殊サブフレームの無線フレーム内の、他のサブフレームに対応するＩＰＨＩＣＨが０であると決定するように、また、決定ＩＰＨＩＣＨを使用することによって、ＰＵＳＣＨに対応するＰＨＩＣＨ群番号を決定するように構成され、或いは
アップリンク−ダウンリンクサブフレーム構成が０であるとき、現在の特殊サブフレームがサブフレームｎであり、ＰＨＩＣＨ資源が特殊サブフレームｎからＫ番目のサブフレームに位置し、ここでｎ＝１又は６、Ｋ＝５のときに、サブフレーム１、６、４、及び９に対応するＰＨＩＣＨ群番号表示因子ＩＰＨＩＣＨが１であり、サブフレーム１、６、４、及び９以外の、現在の特殊サブフレームの無線フレーム内の、他のサブフレームに対応するＩＰＨＩＣＨが０であると決定するように、また、決定ＩＰＨＩＣＨを使用することによって、ＰＵＳＣＨに対応するＰＨＩＣＨ群番号を決定するように構成される。
【００５６】
第４の態様の第９の可能な実現方法に関連して、第１１の可能な実現方法では、資源群番号決定モジュールがさらに、
アップリンク−ダウンリンクサブフレーム構成が６であるとき、現在の特殊サブフレームがサブフレームｎであり、ＰＨＩＣＨ資源が特殊サブフレームｎからＫ番目のサブフレームに位置し、ここでｎ＝１又は６、Ｋ＝４のときに、サブフレーム６及び８に対応するＰＨＩＣＨ群番号表示因子ＩＰＨＩＣＨが１であり、サブフレーム６及び８以外の、現在の特殊サブフレームの無線フレーム内の、他のサブフレームに対応するＩＰＨＩＣＨが０であると決定するように、また、決定ＩＰＨＩＣＨを使用することによって、ＰＵＳＣＨに対応するＰＨＩＣＨ群番号を決定するように構成され、或いは
アップリンク−ダウンリンクサブフレーム構成が６であるとき、現在の特殊サブフレームがサブフレームｎであり、ＰＨＩＣＨ資源が特殊サブフレームｎからＫ番目のサブフレームに位置し、ここでｎ＝１又は６、Ｋ＝４のときに、サブフレーム１及び４に対応するＰＨＩＣＨ群番号表示因子ＩＰＨＩＣＨが１であり、サブフレーム１及び４以外の、現在の特殊サブフレームの無線フレーム内の、他のサブフレームに対応するＩＰＨＩＣＨが０であると決定するように、また、決定ＩＰＨＩＣＨを使用することによって、ＰＵＳＣＨに対応するＰＨＩＣＨ群番号を決定するように構成される。
【００５７】
本発明において提供される方法及び装置では、ＵｐＰＴＳがＰＵＳＣＨを送信するために用いられ、これは、単位時間内のアップリンクデータ送信量を増大することと同等であり、それによって、ＴＤＤ方式のアップリンク方式スループットが増大する。
【００５８】
加えて、ダウンリンクＰＨＩＣＨの受信位置が決定されるときに、ＰＨＩＣＨ資源に対応するＰＨＩＣＨ群番号を調整する方法もさらに提供され、それによって、新たに決定されたＰＵＳＣＨに対応するＰＨＩＣＨ資源と元の構成との間の競合を解決する方法が提供される。
【図面の簡単な説明】
【００５９】
【図１】従来技術の特殊サブフレームの概略構成図である。
【図２】本発明の実施形態１による制御チャネル資源割当方法の概略流れ図である。
【図３】本発明の実施形態による、ＰＵＳＣＨに対応するＰＨＩＣＨを決定する方法の概略流れ図である。
【図４】本発明の実施形態４による制御チャネル資源割当方法の概略流れ図である。
【図５】本発明の実施形態によるユーザ機器の概略構成図である。
【図６】本発明の実施形態による基地局の概略構成図である。
【発明を実施するための形態】
【００６０】
本発明の目的、技法的解決策、及び実施形態の利点を明確にするために、以下では、本発明の実施形態における技法的解決策について、本発明の実施形態に関する添付の図面を参照して明確に説明する。明らかに、説明される実施形態は本発明の実施形態の全部ではなく、一部である。本発明の実施形態に基づいて、独創的な努力なしに当業者によって得られる他のすべての実施形態は、本発明の保護範囲に入るものとする。
【００６１】
ＴＤＤ方式においては、アップリンク及びダウンリンクのサブフレームは、時分割多重法においてＵＥのために機能するので、アップリンクデータ送信に使用できるサブフレームの数量が限定される。この問題に対し、実現可能な解決策では、特殊サブフレームの合計の長さ１ｍｓが変更されないという条件で、ＵｐＰＴＳシンボルの数量が、特殊タイムスロットＧＰの長さ及びＵｐＰＴＳの長さを変更することによって増大され、追加の資源がＵｐＰＴＳから取得されて、アップリンクＰＵＳＣＨ（Ｐｈｙｓｉｃａｌ  Ｕｐｌｉｎｋ  Ｓｈａｒｅｄ  Ｃｈａｎｎｅｌ，物理的アップリンク共有チャネル）を送信すること、すなわちアップリンクデータを送信することができる。
【００６２】
特殊サブフレームを使用することによってアップリンクＰＵＳＣＨを送信する方法においては、ＡＣＫ／ＨＡＣＫによるＨＡＲＱ（Ｈｙｂｒｉｄ  Ａｕｔｏｍａｔｉｃ  Ｒｅｐｅａｔ  Ｒｅｑｕｅｓｔ，ハイブリッド自動再送要求）技術もまた、復号精度を向上させるために使用される必要がある。上記の場合に基づいて、本発明の実施形態において提供される方法は、アップリンクデータ送信用の特殊サブフレームに対応するダウンリンクＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ，物理的ハイブリッド−ＡＲＱインジケータチャネル）の位置割当及び時間周波数資源を決定するための解決策を提供する。
【００６３】
実施形態１
図２に示されるように、上記の問題に対して、本発明のこの実施形態は制御チャネル資源割当方法を提供する。この方法は次のステップを含む。
【００６４】
ステップ２０１でＵＥ（Ｕｓｅｒ  Ｅｑｕｉｐｍｅｎｔ，ユーザ機器）は、現在の特殊サブフレーム内でＰＵＳＣＨ（Ｐｈｙｓｉｃａｌ  Ｕｐｌｉｎｋ  Ｓｈａｒｅｄ  Ｃｈａｎｎｅｌ，物理的アップリンク共有チャネル）を送出する。
【００６５】
送信のために特殊サブフレームを使用するということは、すなわち、特殊サブフレーム内のＵｐＰＴＳ（Ｕｐｌｉｎｋ  Ｐｉｌｏｔ  Ｔｉｍｅ  Ｓｌｏｔ，アップリンクパイロットタイムスロット）をアップリンクデータ送信用のサブフレームとして使用することを指す。
【００６６】
ステップ２０２でＵＥは、ＰＵＳＣＨ送信用のアップリンク資源によって、ＰＵＳＣＨに対応するＰＨＩＣＨ資源を決定する。この場合、ＰＵＳＣＨ送信用のアップリンク資源は、現在の特殊サブフレームを含む。
【００６７】
本発明のこの実施形態においては、ＰＵＳＣＨ送信用のアップリンク資源は、ＰＵＳＣＨ送信用のＵｐＰＴＳを含むか、又はアップリンクサブフレーム（又はアップリンク通常サブフレーム（ｎｏｒｍａｌ  ｓｕｂｆｒａｍｅ）とも呼ばれる）を含むことができる。具体的に次のＡ、Ｂ、Ｃの場合があり得る。Ａでは、アップリンク資源は１つの特殊サブフレーム内のＵｐＰＴＳであり得る。Ｂでは、アップリンク資源は、複数の特殊サブフレーム内のＵｐＰＴＳ、たとえば１つの無線フレーム内の２つのＵｐＰＴＳであり得る。Ｃでは、アップリンク資源はまた、少なくとも１つのＵｐＰＴＳ、及び少なくとも１つのアップリンクサブフレームを含むこともできる。上記のＢ及びＣにおいては、アップリンク資源は複数のサブフレームに分散されており、これら複数のサブフレームはバンドルサブフレームと呼ばれることがある。
【００６８】
ステップ２０３で、ＰＨＩＣＨを決定されたＰＨＩＣＨ資源によって受信する。
【００６９】
既存のＬＴＥ方式は、ＡＣＫ／ＮＡＣＫによるＨＡＲＱ技術を使用するので、アップリンク経路の具体的なＨＡＲＱ過程では、送信端ＵＥが、データパケットを受信端ｅＮＢへＰＵＳＣＨチャネルを使用することによって送出した後に休止し、ｅＮＢの応答メッセージを待つ。特定の送信遅延後にデータパケットが受信端ｅＮＢに到達した後、ｅＮＢはデータパケットを検査する。受信が適正である場合、受信端は、ダウンリンク制御チャネルＰＨＩＣＨを使用することによって肯定応答（ＡＣＫ）メッセージをフィードバックし、受信が不適正である場合には、受信端は受信した所望の情報を保存し、非肯定応答（ＮＡＣＫ）メッセージをフィードバックする。ＡＣＫメッセージを受信すると、ＵＥは新しいデータを送出し、そうでなければ、ＵＥは以前に送信したデータパケットを再送出し、ｅＮＢは、再送信されたデータパケットと以前に受信したデータパケットを結合し、統合復号を実行し、それによって復号精度を向上させる。
【００７０】
ＵＥがアップリンクＰＵＳＣＨを送信し、ｅＮＢがそのアップリンクＰＵＳＣＨを処理しダウンリンクＰＨＩＣＨをフィードバックしたときから、ＵＥがＰＨＩＣＨ情報を受信及び処理し、ＰＵＳＣＨを再送信する、又は新しいＰＵＳＣＨを送信するときまでの過程は、１つのＨＡＲＱ過程のＲＴＴ（ｒｏｕｎｄ  ｔｒｉｐ  ｔｉｍｅ，ラウンドトリップ時間）と呼ばれる。送信遅延及びｅＮＢ処理時間を考慮すると、アップリンクＰＵＳＣＨが送出されたときからダウンリンクＰＨＩＣＨが受信されるときまでの時間は４ｍｓ未満にはならないはずであり、同様に、送信遅延及びＵＥ処理時間を考慮すると、ダウンリンクＰＨＩＣＨが受信されたときから新しいアップリンクＰＵＳＣＨが送信される、又はアップリンクＰＵＳＣＨが再送信されるときまでの時間は４ｍｓ未満にはならないはずである。ＲＴＴ値は８ｍｓ未満にはならない。
【００７１】
ＰＵＳＣＨ送信用のアップリンク資源に基づいて、ＨＡＲＱ技術の複数の組合せ及び特徴があり得、本発明のこの実施形態においては、ＰＵＳＣＨ送信用のアップリンク資源によれば、ＰＵＳＣＨに対応するＰＨＩＣＨ資源を決定するために使用される複数の方法があり得る。具体的な実現中の主な規則は、
ＰＨＩＣＨが受信されたときからＰＵＳＣＨが送信されるときまでの時間、及びＰＵＳＣＨが送信されたときからフィードバックＰＨＩＣＨが受信されるときまでの時間が最小限にされ、基地局又はＵＥの最少処理時間、たとえば３ｍｓの要件を満たす、
１つのサブフレーム内のＰＨＩＣＨ資源が別々のＨＡＲＱ過程に対応することが、できる限り回避される、及び
現在のＲＴＴ値（データパケットが初めて送信されたときからデータパケットが再送信されるときまでの時間）が、できる限り再使用され、或いはできる限り小さい追加ＲＴＴ値が付加されることである。
【００７２】
上記の規則は単に、ＰＵＳＣＨを送信するためにＵｐＰＴＳが使用されるときの参考として使用されるにすぎず、満たされる必要は必ずしもない。具体的には、ＰＵＳＣＨを送信するためにＵｐＰＴＳが使用される場合、上記の規則の一部が考慮されるだけでよく、たとえば、ＲＴＴを含む規則だけが考慮され、或いはＲＴＴ及びＨＡＲＱ過程を含む規則が考慮される。上記の規則の指図のもとで、ＰＵＳＣＨ送信用のアップリンク資源に応じてＵＥによって、ステップ１０２のＰＵＳＣＨに対応するＰＨＩＣＨ資源を決定する具体的な実現ステップは、次のステップを含む（図３に示す）。
【００７３】
ステップ３０１で、ＵＥは、ＰＵＳＣＨ送信用のアップリンク資源によって、ＰＵＳＣＨに対応するＰＨＩＣＨ資源のサブフレーム位置を決定する。
【００７４】
ステップ３０２で、ＰＨＩＣＨ資源のＰＨＩＣＨ群番号をサブフレーム位置に応じて決定し、また、サブフレーム位置及びＰＨＩＣＨ群番号に応じて、ＰＵＳＣＨに対応するＰＨＩＣＨ資源を決定する。
【００７５】
上記の方法に従って、以下では、本発明のこの実施形態において提供される方法について、表及び様々なアップリンク−ダウンリンクサブフレーム構成に関して詳細に説明する。
【００７６】
Ｉ．ＰＵＳＣＨ送信用のアップリンク資源のサブフレームが現在の特殊サブフレームだけであるとき、ＰＵＳＣＨ送信用のアップリンク資源に応じてＵＥによって、ＰＵＳＣＨに対応するＰＨＩＣＨ資源のサブフレーム位置を決定することは、以下を含む。
【００７７】
具体的には、ＬＴＥ  ＴＤＤ方式で定義されている、また表１に示されている７つのアップリンク−ダウンリンクサブフレーム構成に関して、以下では、各構成におけるＰＨＩＣＨ資源の実現可能な解決策を詳細に説明する。
【００７８】
１．アップリンク−ダウンリンクサブフレーム構成が０であり、また現在の特殊サブフレームがサブフレームｎであるときに、ＰＨＩＣＨ資源が現在の特殊サブフレームｎからＫ番目のサブフレームに位置すると決定し、ここで、
ｎ＝１若しくは６のとき、Ｋ＝５、又は
ｎ＝１若しくは６のとき、Ｋ＝１０
である。
【００７９】
具体的には、ユーザ機器ＵＥが特殊サブフレーム１又は６でＰＵＳＣＨを送信するとき、それに応じて、ＰＨＩＣＨ資源は、特殊サブフレーム１又は６からＫ番目のサブフレームに位置することが決定され、ここで、Ｋの具体的な任意選択値は表２で示すことができる。
【００８０】
【表２】
2019083540.tif 000004
【００８１】
具体的なサブフレーム構成において、ＵＬ／ＤＬ  ｃｏｎｆｉｇｕｒａｔｉｏｎ  ０（アップリンク−ダウンリンクサブフレーム構成０）では以下のＡ、Ｂとなる。
【００８２】
Ａ．表２に示されるように、Ｋ１＝５の場合、特殊サブフレームｎ＝１で送信されたＰＵＳＣＨに対し、ＵＥは、対応するＨＡＲＱダウンリンクＰＨＩＣＨフィードバック情報を、サブフレームｎ＝１から５番目のサブフレーム（表２の行４と列３の交点に対応する値）で受信する（すなわち、ＰＨＩＣＨを決定されたＰＨＩＣＨ資源によって受信する）、すなわち、サブフレームｎ＝６で、ＰＵＳＣＨに対応するＨＡＲＱダウンリンクＰＨＩＣＨフィードバック情報を受信する。サブフレームｎ＝６で送信されたＰＵＳＣＨに対しては、ＵＥは、対応するＨＡＲＱダウンリンクＰＨＩＣＨフィードバック情報を、サブフレーム６から５番目のサブフレーム（表２の行４と列８の交点に対応する値）で受信する（すなわち、ＵＥは、サブフレームｎ＝１で、ＰＵＳＣＨに対応するＨＡＲＱダウンリンクＰＨＩＣＨフィードバック情報を受信する）。
【００８３】
Ｂ．表２に示されるように、Ｋ２＝１０の場合、特殊サブフレームｎ＝１で送信されたＰＵＳＣＨに対し、ＵＥは、対応するＨＡＲＱダウンリンクＰＨＩＣＨフィードバック情報を、サブフレームｎ＝１から１０番目のサブフレームで受信する（すなわち、ＰＨＩＣＨを決定されたＰＨＩＣＨ資源によって受信する）、すなわち、次の無線フレーム内のサブフレームｎ＝１で、ＰＵＳＣＨに対応するＨＡＲＱダウンリンクＰＨＩＣＨフィードバック情報を受信する。サブフレームｎ＝６で送信されたＰＵＳＣＨに対しては、ＵＥは、次の無線フレーム内のサブフレームｎ＝６で、ＰＵＳＣＨに対応するＨＡＲＱダウンリンクＰＨＩＣＨフィードバック情報を受信する。
【００８４】
上記の実施形態においては、ＰＨＩＣＨ資源が、現在の特殊サブフレームから５番目又は１０番目のサブフレーム内に位置することが決定される。したがって、２つより多いＰＨＩＣＨが１つのサブフレームで受信される場合が回避され、既存のプロトコルに加えられる変更が最小になり、その一方で、ＰＵＳＣＨが送信されてからＰＨＩＣＨが受信されるまでの時間間隔が、基地局の最小処理時間に適合し、かつ送信遅延が相対的に小さくなり、或いはＰＨＩＣＨが受信されてからＰＵＳＣＨが送信されるまでの時間間隔が、ＵＥの最小処理時間に適合し、かつ送信遅延が相対的に小さくなる。
【００８５】
送信遅延は相対的に小さい。
【００８６】
２．アップリンク−ダウンリンクサブフレーム構成が１であり、また現在の特殊サブフレームがサブフレームｎであるときに、ＰＨＩＣＨ資源が現在の特殊サブフレームｎからＫ番目のサブフレームに位置すると決定し、ここで、
ｎ＝１若しくは６のとき、Ｋ＝４、
ｎ＝１若しくは６のとき、Ｋ＝５、又は
ｎ＝１若しくは６のとき、Ｋ＝８
である。
【００８７】
具体的には、ユーザ機器ＵＥが特殊サブフレーム１又は６でＰＵＳＣＨを送信するとき、それに応じて、ＰＨＩＣＨ資源は、特殊サブフレーム１又は６からＫ番目のサブフレームに位置することが決定され、ここで、Ｋの具体的な任意選択値は表３で示すことができる。
【００８８】
【表３】
2019083540.tif 000005
【００８９】
具体的なサブフレーム構成において、ＵＬ／ＤＬ  ｃｏｎｆｉｇｕｒａｔｉｏｎ  １（アップリンク−ダウンリンクサブフレーム構成１）では以下のＡ、Ｂ、Ｃとなる。
【００９０】
Ａ．表３に示されるように、Ｋ１＝４の場合、特殊サブフレームｎ＝１で送信されたＰＵＳＣＨに対し、ＵＥは、対応するＨＡＲＱダウンリンクＰＨＩＣＨフィードバック情報を、サブフレームｎ＝１から４番目のサブフレームで受信する（すなわち、ＰＨＩＣＨを決定されたＰＨＩＣＨ資源によって受信し）、すなわち、サブフレームｍ＝５で、ＰＵＳＣＨに対応するＨＡＲＱダウンリンクＰＨＩＣＨフィードバック情報を受信する。サブフレームｎ＝６で送信されたＰＵＳＣＨに対しては、ＵＥは、次の無線フレーム内のサブフレームｍ＝０で、ＰＵＳＣＨに対応するＨＡＲＱダウンリンクＰＨＩＣＨフィードバック情報を受信する。
【００９１】
上記の実施形態においては、ＰＨＩＣＨ資源が、現在の特殊サブフレームから４番目のサブフレーム内に位置することが決定される。したがって、複数のＰＨＩＣＨが１つのサブフレームで受信される場合が回避され、既存のプロトコルに加えられる変更が最小になり、その一方で、ＰＵＳＣＨが送信されてからＰＨＩＣＨが受信されるまでの時間間隔が、基地局の最小処理時間の要件によりよく適合し、また送信遅延が相対的に小さくなる。
【００９２】
Ｂ．表３に示されるように、Ｋ２＝５の場合、特殊サブフレームｎ＝１で送信されたＰＵＳＣＨに対し、ＵＥは、対応するＨＡＲＱダウンリンクＰＨＩＣＨフィードバック情報を、サブフレームｎ＝１から５番目のサブフレームで受信する（すなわち、ＰＨＩＣＨを決定されたＰＨＩＣＨ資源によって受信する）、すなわち、サブフレームｎ＝６で、ＰＵＳＣＨに対応するＨＡＲＱダウンリンクＰＨＩＣＨフィードバック情報を受信する。サブフレームｎ＝６で送信されたＰＵＳＣＨに対しては、ＵＥは、次の無線フレーム内のサブフレームｎ＝１で、ＰＵＳＣＨに対応するＨＡＲＱダウンリンクＰＨＩＣＨフィードバック情報を受信する。
【００９３】
Ｃ．表３に示されるように、Ｋ３＝８の場合、特殊サブフレームｎ＝１で送信されたＰＵＳＣＨに対し、ＵＥは、対応するＨＡＲＱダウンリンクＰＨＩＣＨフィードバック情報を、サブフレームｎ＝１から８番目のサブフレームで受信する（すなわち、ＰＨＩＣＨを決定されたＰＨＩＣＨ資源によって受信する）、すなわち、サブフレームｍ＝９で、ＰＵＳＣＨに対応するＨＡＲＱダウンリンクＰＨＩＣＨフィードバック情報を受信する。サブフレームｎ＝６で送信されたＰＵＳＣＨに対しては、ＵＥは、次の無線フレーム内のサブフレームｍ＝４で、ＰＵＳＣＨに対応するＨＡＲＱダウンリンクＰＨＩＣＨフィードバック情報を受信する。
【００９４】
上記の実施形態においては、ＰＨＩＣＨ資源が、現在の特殊サブフレームから８番目のサブフレーム内に位置することが決定される。したがって、２つより多いＰＨＩＣＨが１つのサブフレームで受信される場合が回避され、既存のプロトコルに加えられる変更が最小になり、その一方で、ＰＵＳＣＨが送信されてからＰＨＩＣＨが受信されるまでの時間間隔が、基地局の最小処理時間の要件に適合し、かつ送信遅延が相対的に小さくなる。
【００９５】
３．アップリンク−ダウンリンクサブフレーム構成が２であり、また現在の特殊サブフレームがサブフレームｎであるときに、ＰＨＩＣＨ資源が現在の特殊サブフレームｎからＫ番目のサブフレームに位置すると決定し、ここで、
ｎ＝１若しくは６のとき、Ｋ＝４、
ｎ＝１若しくは６のとき、Ｋ＝５、
ｎ＝１若しくは６のとき、Ｋ＝７、又は
ｎ＝１若しくは６のとき、Ｋ＝８
である。
【００９６】
具体的には、ユーザ機器ＵＥが特殊サブフレーム１又は６でＰＵＳＣＨを送信するとき、それに応じて、ＰＨＩＣＨ資源は、特殊サブフレーム１又は６からＫ番目のサブフレームに位置することが決定され、ここで、Ｋの具体的な任意選択値は表４で示すことができる。
【００９７】
【表４】
2019083540.tif 000006
【００９８】
具体的なサブフレーム構成において、ＵＬ／ＤＬ  ｃｏｎｆｉｇｕｒａｔｉｏｎ  ２（アップリンク−ダウンリンクサブフレーム構成２）では以下となる。
【００９９】
表４に示されるように、Ｋ１＝４の場合、特殊サブフレームｎ＝１で送信されたＰＵＳＣＨに対し、ＵＥは、対応するＨＡＲＱダウンリンクＰＨＩＣＨフィードバック情報を、サブフレーム１から４番目のサブフレームで受信する（すなわち、ＰＨＩＣＨを決定されたＰＨＩＣＨ資源によって受信する）、すなわち、サブフレームｍ＝５で、ＰＵＳＣＨに対応するＨＡＲＱダウンリンクＰＨＩＣＨフィードバック情報を受信する。サブフレームｎ＝６で送信されたＰＵＳＣＨに対しては、ＵＥは、次の無線フレーム内のサブフレームｍ＝０で、ＰＵＳＣＨに対応するＨＡＲＱダウンリンクＰＨＩＣＨフィードバック情報を受信する。
【０１００】
表４で、Ｋ２＝５、Ｋ３＝７、及びＫ４＝８の場合、ＵＥがＰＵＳＣＨを特殊サブフレームｎ＝１又は６で送信すると、ＵＥは、対応するＨＡＲＱダウンリンクＰＨＩＣＨフィードバック情報を特殊サブフレームで受信する。表４のＫの値に関して、特殊サブフレームの決定方法はＫ１＝４のものと同じであり、ここでは詳細について再度説明しない。
【０１０１】
４．アップリンク−ダウンリンクサブフレーム構成が３であり、また現在の特殊サブフレームがサブフレームｎであるときに、ＰＨＩＣＨ資源が現在の特殊サブフレームｎからＫ番目のサブフレームに位置すると決定し、ここでｎ＝１のとき、Ｋ＝４、５、６、７、８、又は９である。
【０１０２】
具体的には、ユーザ機器ＵＥが特殊サブフレームｎ＝１でＰＵＳＣＨを送信するとき、それに応じて、ＰＨＩＣＨ資源は、特殊サブフレーム１からＫ番目のサブフレームに位置することが決定され、ここで、Ｋの具体的な任意選択値は表５で示すことができる。
【０１０３】
【表５】
2019083540.tif 000007
【０１０４】
具体的なサブフレーム構成において、ＵＬ／ＤＬ  ｃｏｎｆｉｇｕｒａｔｉｏｎ  ３（アップリンク−ダウンリンクサブフレーム構成３）では以下となる。
【０１０５】
表５に示されるように、Ｋ１＝４の場合、特殊サブフレームｎ＝１で送信されたＰＵＳＣＨに対し、ＵＥは、対応するＨＡＲＱダウンリンクＰＨＩＣＨフィードバック情報を、サブフレーム１から４番目のサブフレームで受信する（ＰＨＩＣＨを決定されたＰＨＩＣＨ資源によって受信する）、すなわち、サブフレームｍ＝５で、ＰＵＳＣＨに対応するＨＡＲＱダウンリンクＰＨＩＣＨフィードバック情報を受信する。
【０１０６】
表５で、Ｋ２＝５、Ｋ３＝６、Ｋ４＝７、Ｋ５＝８、及びＫ６＝９の場合、ＵＥがＰＵＳＣＨを特殊サブフレームｎ＝１で送信すると、ＵＥは、対応するＨＡＲＱダウンリンクＰＨＩＣＨフィードバック情報を特殊サブフレームで受信する。表５のＫの値に関して、特殊サブフレームの決定方法はＫ１＝４のものと同じであり、ここでは詳細について再度説明しない。
【０１０７】
５．アップリンク−ダウンリンクサブフレーム構成が４であり、また現在の特殊サブフレームがサブフレームｎであるときに、ＰＨＩＣＨ資源が現在の特殊サブフレームｎからＫ番目のサブフレームに位置すると決定し、ここでｎ＝１のとき、Ｋ＝４、５、６、７、８、又は９である。
【０１０８】
具体的には、ユーザ機器ＵＥが特殊サブフレーム１でＰＵＳＣＨを送信するとき、それに応じて、ＰＨＩＣＨ資源は、特殊サブフレーム１からＫ番目のサブフレームに位置することが決定され、ここで、Ｋの具体的な任意選択値は表６で示すことができる。
【０１０９】
【表６】
2019083540.tif 000008
【０１１０】
具体的なサブフレーム構成において、ＵＬ／ＤＬ  ｃｏｎｆｉｇｕｒａｔｉｏｎ  ４（アップリンク−ダウンリンクサブフレーム構成４）では以下となる。
【０１１１】
表６に示されるように、Ｋ１＝４の場合、特殊サブフレームｎ＝１で送信されたＰＵＳＣＨに対し、ＵＥは、対応するＨＡＲＱダウンリンクＰＨＩＣＨフィードバック情報を、サブフレーム１から４番目のサブフレームで受信する（ＰＨＩＣＨを決定されたＰＨＩＣＨ資源によって受信する）、すなわち、サブフレームｍ＝５で、ＰＵＳＣＨに対応するＨＡＲＱダウンリンクＰＨＩＣＨフィードバック情報を受信する。
【０１１２】
表６で、Ｋ２＝５、Ｋ３＝６、Ｋ４＝７、Ｋ５＝８、及びＫ６＝９の場合、ＵＥがＰＵＳＣＨを特殊サブフレームｎ＝１で送信すると、ＵＥは、対応するＨＡＲＱダウンリンクＰＨＩＣＨフィードバック情報を特殊サブフレームで受信する。表６のＫの値に関して、特殊サブフレームの決定方法はＫ１＝４のものと同じであり、ここでは詳細について再度説明しない。
【０１１３】
６．アップリンク−ダウンリンクサブフレーム構成が５であり、また現在の特殊サブフレームがサブフレームｎであるときに、ＰＨＩＣＨ資源が現在の特殊サブフレームｎからＫ番目のサブフレームに位置すると決定し、ここでｎ＝１のとき、Ｋ＝４、５、６、７、８、又は９である。
【０１１４】
具体的には、ユーザ機器ＵＥが特殊サブフレームｎ＝１でＰＵＳＣＨを送信するとき、それに応じて、ＰＨＩＣＨ資源は、特殊サブフレーム１からＫ番目のサブフレームに位置することが決定され、ここで、Ｋの具体的な任意選択値は表７で示すことができる。
【０１１５】
【表７】
2019083540.tif 000009
【０１１６】
具体的なサブフレーム構成において、ＵＬ／ＤＬ  ｃｏｎｆｉｇｕｒａｔｉｏｎ  ５（アップリンク−ダウンリンクサブフレーム構成５）では以下となる。
【０１１７】
表７に示されるように、Ｋ１＝４の場合、特殊サブフレームｎ＝１で送信されたＰＵＳＣＨに対し、ＵＥは、対応するＨＡＲＱダウンリンクＰＨＩＣＨフィードバック情報を、サブフレーム１から４番目のサブフレームで受信する（ＰＨＩＣＨを決定されたＰＨＩＣＨ資源によって受信する）、すなわち、サブフレームｍ＝５で、ＰＵＳＣＨに対応するＨＡＲＱダウンリンクＰＨＩＣＨフィードバック情報を受信する。
【０１１８】
表７で、Ｋ２＝５、Ｋ３＝６、Ｋ４＝７、Ｋ５＝８、及びＫ６＝９の場合、ＵＥがＰＵＳＣＨを特殊サブフレームｎ＝１で送信すると、ＵＥは、対応するＨＡＲＱダウンリンクＰＨＩＣＨフィードバック情報を特殊サブフレームで受信する。特殊サブフレームの決定方法はＫ１＝４のものと同じであり、ここでは詳細について再度説明しない。
【０１１９】
７．アップリンク−ダウンリンクサブフレーム構成が６であり、また現在の特殊サブフレームがサブフレームｎであるときに、ＰＨＩＣＨ資源が現在の特殊サブフレームｎからＫ番目のサブフレームに位置すると決定し、ここで、
ｎ＝１若しくは６のとき、Ｋ＝４、
ｎ＝１若しくは６のとき、Ｋ＝５、
ｎ＝１のとき、Ｋ＝８、
ｎ＝１若しくは６のとき、Ｋ＝９、又は
ｎ＝１若しくは６のとき、Ｋ＝１０
である。
【０１２０】
具体的には、ユーザ機器ＵＥが特殊サブフレーム１でＰＵＳＣＨを送信するとき、それに応じて、ＰＨＩＣＨ資源は、特殊サブフレーム１からＫ番目のサブフレームに位置することが決定され、ここで、Ｋの具体的な任意選択値は表８で示すことができる。
【０１２１】
【表８】
2019083540.tif 000010
【０１２２】
具体的なサブフレーム構成において、ＵＬ／ＤＬ  ｃｏｎｆｉｇｕｒａｔｉｏｎ  ６（アップリンク−ダウンリンクサブフレーム構成６）では以下となる。
【０１２３】
表８に示されるように、Ｋ１＝４の場合、特殊サブフレームｎ＝１で送信されたＰＵＳＣＨに対し、ＵＥは、対応するＨＡＲＱダウンリンクＰＨＩＣＨフィードバック情報を、サブフレームｎ＝１から４番目のサブフレームで受信する（すなわち、ＰＨＩＣＨを決定されたＰＨＩＣＨ資源によって受信する）、すなわち、サブフレームｍ＝５で、ＰＵＳＣＨに対応するＨＡＲＱダウンリンクＰＨＩＣＨフィードバック情報を受信する。サブフレームｎ＝６で送信されたＰＵＳＣＨに対しては、ＵＥは、次の無線フレーム内のサブフレームｍ＝０で、ＰＵＳＣＨに対応するＨＡＲＱダウンリンクＰＨＩＣＨフィードバック情報を受信する。
【０１２４】
表８で、Ｋ２＝５、Ｋ３＝８、Ｋ４＝９、及びＫ５＝１０の場合、ＵＥがＰＵＳＣＨを特殊サブフレームｎ＝１又は６で送信すると、ＵＥは、対応するＨＡＲＱダウンリンクＰＨＩＣＨフィードバック情報を特殊サブフレームで受信する。特殊サブフレームの決定方法はＫ１＝４のものと同じであり、ここでは詳細について再度説明しない。
【０１２５】
上記の実施形態において、各構成は、構成０に対してＫの値を選択するのと同じ理由で、Ｋの複数の値に対応する。各構成に対して選択されたＫの値はまた、構成０に対して選択されたＫの値と同じ有益な効果を有し、ここでは詳細について説明しない。
【０１２６】
表２から表８までのそれぞれが１つのサブフレーム構成を提供する場合には、Ｋの任意選択値が複数ある。具体的な適用環境において、各表中のＫの任意選択値は、別の表中のＫの値と組み合わせて、ロングタームエボルーション（ＬＴＥ，Ｌｏｎｇ  Ｔｅｒｍ  Ｅｖｏｌｕｔｉｏｎ）ＴＤＤ方式で定義される７つのアップリンク−ダウンリンクサブフレーム構成を形成することができ、ここで、１つのアップリンク−ダウンリンクサブフレーム構成は、表９に示された組合せとすることができる。
【０１２７】
【表９】
2019083540.tif 000011
【０１２８】
表９に示された例では、現在の特殊サブフレームがサブフレームｎであるときに、ＰＨＩＣＨ資源が現在の特殊サブフレームｎからＫ番目のサブフレームに位置することが決定され、構成０ではｎ＝１又は６、及びＫ＝５であり、構成１ではｎ＝１又は６、及びＫ＝４であり、構成２ではｎ＝１又は６、及びＫ＝５であり、構成３ではｎ＝１、及びＫ＝６であり、構成４ではｎ＝１、及びＫ＝６であり、構成５ではｎ＝１、及びＫ＝６であり、構成６では、ｎ＝１又は６、及びＫ＝５である。
【０１２９】
ＩＩ．ＰＵＳＣＨ送信用のアップリンク資源のサブフレームが現在の特殊サブフレーム及び別のサブフレームを含むとき、ＰＵＳＣＨ送信用のアップリンク資源に応じてＵＥによって、ＰＵＳＣＨに対応するＰＨＩＣＨ資源のサブフレーム位置を決定することは、以下を含む。
【０１３０】
さらに、既存のプロトコルＲｅｌ−１１は、アップリンクＰＵＳＣＨがサブフレームバンドリング（ｓｕｂｆｒａｍｅ  ｂｕｎｄｌｉｎｇ  ｏｒ  ＴＴＩ  ｂｕｎｄｌｉｎｇ）方法で送信され得るとさらに規定する。ＵｐＰＴＳと他のアップリンク資源をバンドリングする方法がＰＵＳＣＨを送信するために使用され、これは、単位時間内にアップリンクデータを送信することの時間量を増大させることと同等であり、それによって、アップリンクデータ受信の信号対雑音比が向上し、さらにアップリンクカバレージが増大する。本発明のこの実施形態では、ＰＵＳＣＨ送信用のアップリンク資源のサブフレームが現在の特殊サブフレーム、及び現在の特殊サブフレームとバンドルされた協調サブフレームを含むとき、ＰＵＳＣＨ送信用のアップリンク資源に応じてＵＥによって、ＰＵＳＣＨに対応するＰＨＩＣＨ資源のサブフレーム位置を決定することは、
協調サブフレームに応じて、ＰＵＳＣＨに対応するＰＨＩＣＨ資源のサブフレーム位置を決定することを含む。
【０１３１】
本発明のこの実施形態においては、協調サブフレームとは、ＰＵＳＣＨ送信用の特殊サブフレームが他のサブフレームとバンドルされているときに、バンドルサブフレーム内の、ＰＵＳＣＨ送信用の特殊サブフレーム以外の他のサブフレームを指す。
【０１３２】
協調サブフレームは、現在の特殊サブフレームの無線フレーム内の少なくとも１つのアップリンクサブフレーム、及び／又は現在の特殊サブフレーム以外の、無線フレーム内の他の特殊サブフレームを含む。
【０１３３】
さらに、送信遅延及びｅＮＢ処理時間を包括的に考慮し、また送信遅延及びＵＥ処理時間を考慮して、現在のＲＴＴ値（すなわち、データパケットが初めて送信されたときからデータパケットが再送信されるまでの時間）が、できる限り再使用され、或いはできる限り小さい追加ＲＴＴ値が付加される。したがって、本発明のこの実施形態においては、ＰＵＳＣＨ送信用のアップリンク資源に応じてＵＥによって、ＰＵＳＣＨに対応するＰＨＩＣＨ資源のサブフレーム位置を決定することは、
協調サブフレーム内の最終サブフレームＬに応じて、ＰＵＳＣＨに対応するＰＨＩＣＨ資源のサブフレーム位置を決定することを含む。
【０１３４】
具体的には、ＬＴＥ  ＴＤＤ方式で定義され表１に示されている７つのアップリンク−ダウンリンクサブフレーム構成に関して、以下では、協調サブフレーム内の最終サブフレームＬに応じて各構成において、ＰＵＳＣＨに対応するＰＨＩＣＨ資源のサブフレーム位置を決定する実現可能な解決策を詳細に説明する。
【０１３５】
異なる構成については、具体的なバンドリング中のアップリンクサブフレームの位置及び数量が異なるので、複数の事例があり得る。以下では、様々なバンドリング事例によって説明をする。
【０１３６】
方法１では、１つの無線フレーム内のすべてのアップリンクサブフレームと特殊サブフレームがバンドルされて１つのバンドルサブフレームを形成し、１つのバンドルサブフレームは１つのＨＡＲＱ過程に対応する。具体的な実現は以下であり得る。
【０１３７】
１．アップリンク−ダウンリンクサブフレーム構成が０である場合には、無線フレーム内の特殊サブフレーム１及び６がその無線フレーム内のサブフレーム２、３、４、７、８、及び９とバンドルされるときに、ＰＨＩＣＨ資源が最終サブフレームＬからＫ番目のサブフレームに位置すると決定し、ここでＬ＝９、及びＫ＝６である。
【０１３８】
具体的には、ユーザ機器ＵＥがＰＵＳＣＨを特殊サブフレーム１又は６で送信するとき、それに応じて、ＰＨＩＣＨ資源が、バンドルサブフレームの最終サブフレームＬからＫ番目のサブフレームに位置することが決定され、ここで、Ｋの具体的な任意選択値は表１０で示すことができる。
【０１３９】
【表１０】
2019083540.tif 000012
【０１４０】
表１０で、斜線で印付けされたサブフレーム１、２、３、４、６、７、８、及び９は、送信データとバンドルされる。
【０１４１】
表１０に示されるように、アップリンク−ダウンリンクサブフレーム構成は０であり、１つの無線フレーム内の特殊サブフレーム１及び６がその無線フレーム内のサブフレーム２、３、４、７、８、及び９とバンドルされるときに、特殊サブフレーム１で送信されたＰＵＳＣＨに対し、ＵＥは、対応するＨＡＲＱダウンリンクＰＨＩＣＨフィードバック情報を、サブフレーム９から６番目のサブフレームで受信する、すなわち、次の無線フレーム内のサブフレーム５で、そのＰＵＳＣＨに対応するＨＡＲＱダウンリンクＰＨＩＣＨフィードバック情報を受信する。
【０１４２】
この実施形態においては、特殊サブフレーム１及び６が無線フレーム内のサブフレーム２、３、４、７、８、及び９とバンドルされるときに、バンドルされたサブフレームを全体とみなすことができ、したがって、ＰＨＩＣＨ受信用の、元のサブフレーム９におけるサブフレーム位置が、特殊サブフレームを使用することによって送出されるＰＵＳＣＨとして再使用され得る。この場合、最小の変更がプロトコルに加えられ得る。ＰＵＳＣＨが送信されたときからＰＨＩＣＨが受信されるときまでの時間間隔は、基地局の処理時間（３ｍｓ）が最小のときに最小値になり、これにより送信遅延が効果的に低減する。加えて、バンドリング方法では、３つのＨＡＲＱ過程及び／又は３０ｍｓのＲＴＴのＰＵＳＣＨ送信を実現することができる。ＶＯＩＰ（Ｖｏｉｃｅ  ｏｖｅｒ  Ｉｎｔｅｒｎｅｔ  Ｐｒｏｔｏｃｏｌ，インターネットプロトコル上の音声）などの、遅延の影響を受けやすいサービスに対しては、送信遅延が一般に約５０ｍｓである必要があり、またＨＡＲＱ過程のＲＴＴ値は、遅延の影響を受けやすいサービスの送信のために時間ダイバーシティ利得を高めることができる３０ｍｓに設定される。ＨＡＲＱ過程に含まれるＵｐＰＴＳの数量は同じであり、これにより、システム（ＵＥ又は基地局）がＨＡＲＱ過程の処理を調和させる複雑さが低減する。
【０１４３】
２．アップリンク−ダウンリンクサブフレーム構成が１である場合には、無線フレーム内の特殊サブフレーム１及び６がその無線フレーム内のサブフレーム２、３、７、及び８とバンドルされるときに、ＰＨＩＣＨ資源が最終サブフレームＬからＫ番目のサブフレームに位置すると決定し、ここでＬ＝８、及びＫ＝６である。
【０１４４】
この実施形態においては、特殊サブフレーム１及び６が無線フレーム内のサブフレーム２、３、７、及び８とバンドルされるときに、バンドルされたサブフレームを全体とみなすことができ、したがって、ＰＨＩＣＨ受信用の、元のサブフレーム８におけるサブフレーム位置が、特殊サブフレームを使用することによって送出されるＰＵＳＣＨのために再使用され得る。ＰＵＳＣＨが送信されたときからＰＨＩＣＨが受信されるときまでの時間間隔は、基地局の処理時間（３ｍｓ）が最小のときに最小値になり、これにより送信遅延が効果的に低減する。加えて、このバンドリング方法では、２つのＨＡＲＱ過程の、ＲＴＴが２０ｍｓであるＰＵＳＣＨ送信、又は３つのＨＡＲＱ過程の、ＲＴＴが３０ｍｓであるＰＵＳＣＨ送信、を実現することができる。ＶＯＩＰなどの、遅延の影響を受けやすいサービスに対しては、送信遅延が一般に約５０ｍｓである必要があり、またＨＡＲＱ過程のＲＴＴ値は、遅延の影響を受けやすいサービスの送信のために時間ダイバーシティ利得を効果的に高めることができる、２０ｍｓ又は３０ｍｓに設定される。加えて、ＨＡＲＱ過程に含まれるＵｐＰＴＳの数量は同じであり、これにより、システム（ＵＥ又は基地局）がＨＡＲＱ過程の処理を調和させる複雑さが低減する。
【０１４５】
３．アップリンク−ダウンリンクサブフレーム構成が２である場合には、無線フレーム内の特殊サブフレーム１及び６がその無線フレーム内のサブフレーム２及び７とバンドルされるときに、ＰＨＩＣＨ資源が最終サブフレームＬからＫ番目のサブフレームに位置すると決定し、ここでＬ＝７、及びＫ＝６、９、又は１９である。
【０１４６】
この実施形態においては、ＰＨＩＣＨ資源が現在の特殊サブフレームから６番目のサブフレームに位置することが決定され、ＰＵＳＣＨが送信されたときからＰＨＩＣＨが受信されるときまでの時間間隔は、基地局の処理時間（３ｍｓ）が最小のときに最小値になり、これにより送信遅延が効果的に低減する。
【０１４７】
Ｋ＝６若しくは９のときのＲＴＴが２０ｍｓであるＰＵＳＣＨ送信、又はＫ＝１９のときのＲＴＴが３０ｍｓであるＰＵＳＣＨ送信に関し、ＶＯＩＰなどの、遅延の影響を受けやすいサービスに対しては、送信遅延が一般に約５０ｍｓである必要があり、またＨＡＲＱ過程のＲＴＴ値は、遅延の影響を受けやすいサービスの送信のために時間ダイバーシティ利得を効果的に高めることができる２０ｍｓ又は３０ｍｓに設定される。加えて、ＨＡＲＱ過程に含まれるＵｐＰＴＳの数量は同じであり、これにより、システム（ＵＥ又は基地局）がＨＡＲＱ過程の処理を調和させる複雑さが低減する。
【０１４８】
４．アップリンク−ダウンリンクサブフレーム構成が３である場合には、無線フレーム内の特殊サブフレーム１がその無線フレーム内のサブフレーム２、３及び４とバンドルされるときに、ＰＨＩＣＨ資源が最終サブフレームＬからＫ番目のサブフレームに位置すると決定し、ここでＬ＝４、及びＫ＝１６である。
【０１４９】
５．アップリンク−ダウンリンクサブフレーム構成が４である場合には、無線フレーム内の特殊サブフレーム１がその無線フレーム内のサブフレーム２及び３とバンドルされるときに、ＰＨＩＣＨ資源が最終サブフレームＬからＫ番目のサブフレームに位置すると決定し、ここでＬ＝４、及びＫ＝６である。
【０１５０】
６．アップリンク−ダウンリンクサブフレーム構成が５である場合には、無線フレーム内の特殊サブフレーム１がその無線フレーム内のサブフレーム２とバンドルされるときに、ＰＨＩＣＨ資源がサブフレーム２からＫ番目のサブフレームに位置すると決定し、ここでＫ＝５、１５、又は２５である。
【０１５１】
７．アップリンク−ダウンリンクサブフレーム構成が６である場合には、無線フレーム内の特殊サブフレーム１及び６がその無線フレーム内のサブフレーム２、３、４、７、及び８とバンドルされるときに、ＰＨＩＣＨ資源が最終サブフレームＬからＫ番目のサブフレームに位置すると決定し、ここでＬ＝８、及びＫ＝１７である。
【０１５２】
方法２では、１つの無線フレームが２つの特殊サブフレームを含むとき、それぞれの特殊サブフレームが１つのバンドルサブフレームを形成することができ、各バンドルサブフレームは別個に、異なるＨＡＲＱ過程に対応し、具体的な実現は以下であり得る。
【０１５３】
１．アップリンク−ダウンリンクサブフレーム構成が２である場合には、無線フレーム内の特殊サブフレーム１と無線フレーム内のサブフレーム２がバンドルされて第１のバンドルフレームを形成し、また無線フレーム内の特殊サブフレーム６と無線フレーム内のサブフレーム７がバンドルされて第２のバンドルフレームを形成するときに、協調サブフレーム内の最終サブフレームＬに応じて、ＰＵＳＣＨに対応するＰＨＩＣＨ資源のサブフレーム位置を決定することは、
第１のバンドルフレームに対応する第１のＰＨＩＣＨ資源が最終サブフレームＬからＫ１番目のサブフレームに位置すると決定することを含み、ここでＬ＝２、及びＫ１＝４であり、
第２のバンドルフレームに対応する第２のＰＨＩＣＨ資源が最終サブフレームＬからＫ２番目のサブフレームに位置し、ここでＬ＝７、及びＫ２＝４である。
【０１５４】
具体的には、ユーザ機器ＵＥがＰＵＳＣＨを特殊サブフレーム１又は６で送信するとき、それに応じて、ＰＨＩＣＨ資源が、バンドルサブフレームの最終サブフレームＬからＫ番目のサブフレームに位置することが決定され、ここで、Ｋの具体的な任意選択値は表１１で示すことができる。
【０１５５】
【表１１】
2019083540.tif 000013
【０１５６】
表１１では、水平線で印付けられたサブフレーム１と２がバンドルされて第１のバンドルフレームを形成し、垂直線で印付けられたサブフレーム６と７がバンドルされて第２のバンドルフレームを形成する。
【０１５７】
表１１に示されるように、アップリンク−ダウンリンクサブフレーム構成が２であり、無線フレーム内の特殊サブフレーム１と、その無線フレーム内のサブフレーム２とがバンドルされて第１のバンドルフレームを形成するときに、特殊サブフレーム１で送信されたＰＵＳＣＨに対し、ＵＥは、対応するＨＡＲＱダウンリンクＰＨＩＣＨフィードバック情報をサブフレーム２から４番目のサブフレームで受信する、すなわち、無線フレーム内のサブフレーム６で、特殊サブフレーム１で送信されたＰＵＳＣＨに対応するＨＡＲＱダウンリンクＰＨＩＣＨフィードバック情報を受信する。また、
無線フレーム内の特殊サブフレームｎ＝６と、その無線フレーム内のサブフレームｍ＝７とがバンドルされて第２のバンドルフレームを形成するときに、特殊サブフレームｎ＝６で送信されたＰＵＳＣＨに対し、ＵＥは、対応するＨＡＲＱダウンリンクＰＨＩＣＨフィードバック情報をサブフレーム７から４番目のサブフレームで受信する、すなわち、次の無線フレーム内のサブフレーム１で、特殊サブフレーム６で送信されたＰＵＳＣＨに対応するＨＡＲＱダウンリンクＰＨＩＣＨフィードバック情報を受信する。
【０１５８】
２．アップリンク−ダウンリンクサブフレーム構成が３である場合には、無線フレーム内の特殊サブフレーム１とその無線フレーム内のサブフレーム２及び３とがバンドルされて第１のバンドルフレームを形成し、その無線フレーム内のサブフレーム４と、次の無線フレーム内の特殊サブフレーム１と、次の無線フレーム内のサブフレーム２とがバンドルされて第２のバンドルフレームを形成し、また次の無線フレーム内のサブフレーム３及び４がバンドルされて第３のバンドルフレームを形成するときに、協調サブフレーム内の最終サブフレームＬに応じて、ＰＵＳＣＨに対応するＰＨＩＣＨ資源のサブフレーム位置を決定することは、
第１のバンドルフレームに対応する第１のＰＨＩＣＨ資源が最終サブフレームＬからＫ番目のサブフレームに位置すると決定することを含み、ここでＬ＝３、及びＫ＝６であり、
第２のバンドルフレームに対応する第２のＰＨＩＣＨ資源が最終サブフレームＬからＫ番目のサブフレームに位置すると決定することを含み、ここでＬ＝２、及びＫ＝６であり、
第３のバンドルフレームに対応する第３のＰＨＩＣＨ資源が最終サブフレームＬからＫ番目のサブフレームに位置すると決定することを含み、ここでＬ＝４、及びＫ＝６である。
【０１５９】
この実施形態においては、特殊サブフレームが無線フレーム内の別のサブフレームとバンドルされるときに、バンドルされたサブフレームを全体とみなすことができ、したがって、ＰＨＩＣＨ受信用の、元のサブフレーム８におけるサブフレーム位置が、特殊サブフレームを使用することによって送出されるＰＵＳＣＨのために再使用され得る。ＰＵＳＣＨが送信されたときからＰＨＩＣＨが受信されるときまでの時間間隔は、基地局の処理時間（３ｍｓ）が最小のときに最小値になり、これにより送信遅延が効果的に低減する。
【０１６０】
ＵＥが、ＰＵＳＣＨに対応するＰＨＩＣＨ資源のサブフレーム位置を決定した後、ＰＵＳＣＨに対応するＰＨＩＣＨ情報は、ＰＨＩＣＨ群番号及びその群内のＰＨＩＣＨの直交系列番号
（外１）
2019083540.tif 000014
による以下の式を使用することによって一意に決定することができ、また分離される。
（外２）
2019083540.tif 000015
ここで、ｎＤＭＲＳは復調参照信号循環シフト値であり、ＩＰＲＢ＿ＲＡは、資源ブロックの最低指数（ｌｏｗｅｓｔ  ｉｎｄｅｘ）であり、
（外３）
2019083540.tif 000016
は、ＰＨＩＣＨ拡散因子の長さであり、
（外４）
2019083540.tif 000017
は、ＰＨＩＣＨ群数量である。
【０１６１】
本発明のこの実施形態において提供される方法では、ＰＨＩＣＨ資源の時間周波数領域がさらに決定される。この方法では、ＰＨＩＣＨ資源のＰＨＩＣＨ群番号はさらに、サブフレーム位置に応じてさらに決定され、これは具体的には、
ＰＨＩＣＨ資源に対応するサブフレーム位置に応じて、またＰＨＩＣＨ群番号表示因子ＩＰＨＩＣＨを使用することによって、ＰＵＳＣＨに対応するＰＵＳＣＨ群番号を決定することを含む。
【０１６２】
一具体例では、サブフレーム位置に応じてＰＨＩＣＨ資源のＰＨＩＣＨ群番号を決定することは以下を含む。
【０１６３】
Ａ．本発明のこの実施形態においてＩＰＨＩＣＨを決定することについて、表１２に示される例を使用することによってさらに詳細に説明する。
【０１６４】
【表１２】
2019083540.tif 000018
【０１６５】
表１２から分かるように、ＵＬ／ＤＬ  ｃｏｎｆｉｇｕｒａｔｉｏｎ  ０では、ＰＵＳＣＨを送信するために特殊サブフレーム１又は６が使用され、ＰＵＳＣＨに対応するＰＨＩＣＨ資源が、その特殊サブフレームから５番目のサブフレームに位置し、そうして、この場合では以下となる。
【０１６６】
構成ＵＬ／ＤＬ  ｃｏｎｆｉｇｕｒａｔｉｏｎ  ０において、同じサブフレームが別のＰＵＳＣＨのＰＨＩＣＨ資源に対応する場合の一例には以下がある。
【０１６７】
ａ．特殊サブフレーム１及びアップリンクサブフレーム２で送信されたＰＵＳＣＨに対して、対応するＰＨＩＣＨがサブフレーム６で受信される。
【０１６８】
同じサブフレーム内の、別々のＰＵＳＣＨに対応する各ＰＨＩＣＨ資源を区別するために、サブフレーム１又は２で送信されたＰＵＳＣＨに対応するＰＨＩＣＨ資源のＰＨＩＣＨ群番号表示因子はＩＰＨＩＣＨ＝１であることが規定される。
【０１６９】
ａ．特殊サブフレーム６及びアップリンクサブフレーム７で送信されたＰＵＳＣＨに対して、対応するＰＨＩＣＨがサブフレーム１で受信される。
【０１７０】
同じサブフレームで、別々のＰＵＳＣＨに対応する各ＰＨＩＣＨ資源を区別するために、サブフレーム６又は７で送信されたＰＵＳＣＨに対応するＰＨＩＣＨ資源のＰＨＩＣＨ群番号表示因子は、ＩＰＨＩＣＨ＝１であることが規定される。
【０１７１】
上記の場合に基づいて、サブフレーム２及び７で送信されたＰＵＳＣＨに対応するＰＨＩＣＨ資源のＰＨＩＣＨ群番号表示因子は、ＩＰＨＩＣＨ＝１であると規定することができ、或いは、サブフレーム１及び６で送信されたＰＵＳＣＨに対応するＰＨＩＣＨ資源のＰＨＩＣＨ群番号表示因子は、ＩＰＨＩＣＨ＝１であると規定することができる。加えて、この構成では、サブフレーム３及び４に対応する各ダウンリンクＰＨＩＣＨが同一のサブフレームで送信され、またサブフレーム８及び９に対応する各ダウンリンクＰＨＩＣＨが同一のサブフレームで送信される。
【０１７２】
この構成では、サブフレームの４つの群｛１、２｝、｛３、４｝、｛６、７｝、及び｛８、９｝に対し、ダウンリンクＰＨＩＣＨが同一のサブフレームで受信される。同じサブフレーム内の、別々のＰＵＳＣＨに対応する各ＰＨＩＣＨ資源を区別するために、本発明のこの実施形態で提供される方法では、１つのサブフレームに対応するＰＨＩＣＨ資源のＩＰＨＩＣＨ＝１がサブフレームのそれぞれの群から選択され、２つの選択肢がサブフレームの群ごとにある。上記の場合が、この構成のサブフレームの４つの群に存在するという前提のもとに、ＩＰＨＩＣＨをこの構成で形成するための１６の実現方法がある。加えて、元のサブフレームに対応するＩＰＨＩＣＨの値が、できる限り再使用され、或いは元のサブフレームに対応するＩＰＨＩＣＨの値の変更が、できる限り少なくされる。ＩＰＨＩＣＨの値は、上記の規則に従って選択される。説明を簡単にするために、ＩＰＨＩＣＨの値を形成する２つの方法について以下で具体的に説明する。
【０１７３】
方法１では、上記の場合に基づいて、本発明の実現の際には、アップリンク−ダウンリンクサブフレーム構成が０であるとき、現在の特殊サブフレームはサブフレームｎであり、ＰＨＩＣＨ資源は特殊サブフレームｎからＫ番目のサブフレームに位置し、ここで、ｎ＝１又は６、Ｋ＝５のときに、サブフレーム２、４、７、及び９に対応するＰＨＩＣＨ群番号表示因子ＩＰＨＩＣＨは１であり、サブフレーム２、４、７、及び９以外の、現在の特殊サブフレームの無線フレーム内の、他のサブフレームに対応するＩＰＨＩＣＨは０であると決定し、また、決定ＩＰＨＩＣＨを使用することによって、ＰＵＳＣＨに対応するＰＨＩＣＨ群番号を決定する。
【０１７４】
実際の適用環境においては、上記の実現方法１はさらに、具体的な式を使用することによって表現され得る。この具体的な式は、
（外５）
2019083540.tif 000019
とすることができる。
【０１７５】
方法２では、アップリンク−ダウンリンクサブフレーム構成が０であるとき、現在の特殊サブフレームはサブフレームｎであり、ＰＨＩＣＨ資源は特殊サブフレームｎからＫ番目のサブフレームに位置し、ここでｎ＝１又は６、Ｋ＝５のときに、サブフレーム１、６、４、及び９に対応するＰＨＩＣＨ群番号表示因子ＩＰＨＩＣＨは１であり、サブフレーム１、６、４、及び９以外の、現在の特殊サブフレームの無線フレーム内の、他のサブフレームに対応するＩＰＨＩＣＨは０であると決定し、また、決定ＩＰＨＩＣＨを使用することによって、ＰＵＳＣＨに対応するＰＨＩＣＨ群番号を決定する。
【０１７６】
実際の適用環境においては、上記の実現方法２はさらに、具体的な式を使用することによって表現され得る。この具体的な式は、
（外６）
2019083540.tif 000020
とすることができる。
【０１７７】
加えて、ＵＬ／ＤＬ  ｃｏｎｆｉｇｕｒａｔｉｏｎ  ６では、ＰＵＳＣＨを送信するために特殊サブフレーム１又は６が使用され、ＰＵＳＣＨに対応するＰＨＩＣＨ資源が、その特殊サブフレームから４番目のサブフレームに位置し、そうして、この場合には以下となる。
【０１７８】
ａ．特殊サブフレーム１で送信されたＰＵＳＣＨ、及び以前の無線フレーム内のアップリンクサブフレーム８で送信されたＰＵＳＣＨに対して、対応するダウンリンクＰＨＩＣＨがサブフレーム５で受信される。
【０１７９】
同じサブフレーム内の、別々のＰＵＳＣＨに対応する各ＰＨＩＣＨ資源を区別するために、サブフレーム１で送信されたＰＵＳＣＨに対応する、又は以前の無線フレーム内のサブフレーム８で送信されたＰＵＳＣＨに対応するＰＨＩＣＨ資源のＰＨＩＣＨ群番号表示因子はＩＰＨＩＣＨ＝１であることが規定される。
【０１８０】
ｂ．アップリンクサブフレーム４及び特殊サブフレーム６で送信されたＰＵＳＣＨに対して、対応するＰＨＩＣＨが次の無線フレーム内のサブフレーム０で受信される。
【０１８１】
サブフレーム０で、別々のＰＵＳＣＨに対応する各ＰＨＩＣＨ資源を区別するために、サブフレーム４又は６で送信されたＰＵＳＣＨに対応するＰＨＩＣＨ資源のＰＨＩＣＨ群番号表示因子はＩＰＨＩＣＨ＝１であることが規定される。
【０１８２】
上記の場合に基づいて、サブフレーム６及び８で送信されたＰＵＳＣＨに対応するＰＨＩＣＨ資源のＰＨＩＣＨ群番号表示因子はＩＰＨＩＣＨ＝１であることが規定され、或いは、サブフレーム１及び４で送信されたＰＵＳＣＨに対応するＰＨＩＣＨ資源のＰＨＩＣＨ群番号表示因子はＩＰＨＩＣＨ＝１であることが規定され得る。
【０１８３】
上記の場合に基づいて、本発明の実現においては、アップリンク−ダウンリンクサブフレーム構成が６であるとき、現在の特殊サブフレームはサブフレームｎであり、ＰＨＩＣＨ資源は特殊サブフレームｎからＫ番目のサブフレームに位置し、ここでｎ＝１又は６、Ｋ＝４のときに、サブフレーム６及び８に対応するＰＨＩＣＨ群番号表示因子ＩＰＨＩＣＨは１であり、サブフレーム６及び８以外の、現在の特殊サブフレームの無線フレーム内の、他のサブフレームに対応するＩＰＨＩＣＨは０であると決定し、また、決定ＩＰＨＩＣＨを使用することによって、ＰＵＳＣＨに対応するＰＨＩＣＨ群番号を決定し、或いは
アップリンク−ダウンリンクサブフレーム構成が６であるとき、現在の特殊サブフレームはサブフレームｎであり、ＰＨＩＣＨ資源は特殊サブフレームｎからＫ番目のサブフレームに位置し、ここでｎ＝１又は６、Ｋ＝４のときに、サブフレーム１及び４に対応するＰＨＩＣＨ群番号表示因子ＩＰＨＩＣＨは１であり、サブフレーム１及び４以外の、現在の特殊サブフレームの無線フレーム内の、他のサブフレームに対応するＩＰＨＩＣＨは０であると決定し、また、決定ＩＰＨＩＣＨを使用することによって、ＰＵＳＣＨに対応するＰＨＩＣＨ群番号を決定する。
【０１８４】
実施形態２
本発明のこの実施形態において、１つのＲＴＴ周期でアップリンクＰＵＳＣＨからダウンリンクＰＨＩＣＨまでのタイミングは４ｍｓ未満ではなく、またＨＡＲＱ再送信の際にＵＥがＰＨＩＣＨを受信したときからＵＥがＰＵＳＣＨを送出するときまでの時間は４ｍｓ未満ではないことを考慮して、以下ではＲＴＴが１０ｍｓである例を提供する。
【０１８５】
ユーザ機器ＵＥがＰＵＳＣＨを特殊サブフレームで送信するとき、それに応じて、ＰＨＩＣＨ資源が特殊サブフレームからＫ番目のサブフレームに位置することが決定され、ここで、それぞれの構成におけるＫの具体的な任意選択値は表１３で示すことができる。
【０１８６】
【表１３】
2019083540.tif 000021
【０１８７】
この実施形態において、表１３に示された具体例によれば、現在の特殊サブフレームはサブフレームｎになり、ＰＨＩＣＨ資源が現在の特殊サブフレームｎからＫ番目のサブフレームに位置すると決定することの具体的な実現は、以下を含む。
【０１８８】
＜１＞ＤＬ／ＵＬ  ｃｏｎｆｉｇｕｒａｔｉｏｎ  ０では、特殊サブフレームｎ＝１で送信されたＰＵＳＣＨに対し、ＵＥは、対応するＨＡＲＱダウンリンクＰＨＩＣＨフィードバック情報を、サブフレーム１から５番目のサブフレームで受信する、すなわち、特殊サブフレームｎ＝６で、ＰＵＳＣＨに対応するＨＡＲＱダウンリンクＰＨＩＣＨフィードバック情報を受信する。特殊サブフレームｎ＝６で送信されたＰＵＳＣＨに対しては、ＵＥは、対応するＨＡＲＱダウンリンクＰＨＩＣＨフィードバック情報を、サブフレーム６から５番目のサブフレームで受信する（すなわち、ＵＥは、次の無線フレーム内の特殊サブフレームｎ＝１で、ＰＵＳＣＨに対応するＨＡＲＱダウンリンクＰＨＩＣＨフィードバック情報を受信する）。
【０１８９】
＜２＞ＤＬ／ＵＬ  ｃｏｎｆｉｇｕｒａｔｉｏｎ  １では、特殊サブフレームｎ＝１で送信されたＰＵＳＣＨに対し、ＵＥは、対応するＨＡＲＱダウンリンクＰＨＩＣＨフィードバック情報を、サブフレーム１から４番目のサブフレームで受信する（ＰＨＩＣＨを決定されたＰＨＩＣＨ資源によって受信する）、すなわち、特殊サブフレームｍ＝５で、ＰＵＳＣＨに対応するＨＡＲＱダウンリンクＰＨＩＣＨフィードバック情報を受信する。特殊サブフレームｎ＝６で送信されたＰＵＳＣＨに対しては、ＵＥは、対応するＨＡＲＱダウンリンクＰＨＩＣＨフィードバック情報を、サブフレーム６から４番目のサブフレームで受信する。すなわち、ＵＥは、次の無線フレーム内の特殊サブフレームｍ＝０で、ＰＵＳＣＨに対応するＨＡＲＱダウンリンクＰＨＩＣＨフィードバック情報を受信する。
【０１９０】
＜１＞ＤＬ／ＵＬ  ｃｏｎｆｉｇｕｒａｔｉｏｎ  ２では、特殊サブフレームｎ＝１で送信されたＰＵＳＣＨに対し、ＵＥは、対応するＨＡＲＱダウンリンクＰＨＩＣＨフィードバック情報を、サブフレーム１から５番目のサブフレームで受信する（ＰＨＩＣＨを決定されたＰＨＩＣＨ資源によって受信する）、すなわち、特殊サブフレーム６で、ＰＵＳＣＨに対応するＨＡＲＱダウンリンクＰＨＩＣＨフィードバック情報を受信する。特殊サブフレームｎ＝６で送信されたＰＵＳＣＨに対しては、ＵＥは、対応するＨＡＲＱダウンリンクＰＨＩＣＨフィードバック情報を、サブフレーム６から５番目のサブフレームで受信する。すなわち、ＵＥは、次の無線フレーム内の特殊サブフレーム１で、ＰＵＳＣＨに対応するＨＡＲＱダウンリンクＰＨＩＣＨフィードバック情報を受信する。
【０１９１】
＜１＞ＵＬ／ＤＬ  ｃｏｎｆｉｇｕｒａｔｉｏｎ  ３では、特殊サブフレームｎ＝１で送信されたＰＵＳＣＨに対し、ＵＥは、対応するＨＡＲＱダウンリンクＰＨＩＣＨフィードバック情報を、サブフレーム１から６番目のサブフレームで受信する（ＰＨＩＣＨを決定されたＰＨＩＣＨ資源によって受信する）。すなわち、ＵＥは、サブフレーム７で、ＰＵＳＣＨに対応するＨＡＲＱダウンリンクＰＨＩＣＨフィードバック情報を受信する。
【０１９２】
＜１＞ＵＬ／ＤＬ  ｃｏｎｆｉｇｕｒａｔｉｏｎ  ４では、特殊サブフレームｎ＝１で送信されたＰＵＳＣＨに対し、ＵＥは、対応するＨＡＲＱダウンリンクＰＨＩＣＨフィードバック情報を、サブフレーム１から６番目のサブフレームで受信する（ＰＨＩＣＨを決定されたＰＨＩＣＨ資源によって受信する）、すなわち、サブフレーム７で、ＰＵＳＣＨに対応するＨＡＲＱダウンリンクＰＨＩＣＨフィードバック情報を受信する。
【０１９３】
＜１＞ＵＬ／ＤＬ  ｃｏｎｆｉｇｕｒａｔｉｏｎ  ５では、特殊サブフレームｎ＝１で送信されたＰＵＳＣＨに対し、ＵＥは、対応するＨＡＲＱダウンリンクＰＨＩＣＨフィードバック情報を、サブフレーム１から６番目のサブフレームで受信する（ＰＨＩＣＨを決定されたＰＨＩＣＨ資源によって受信する）、すなわち、サブフレーム７で、ＰＵＳＣＨに対応するＨＡＲＱダウンリンクＰＨＩＣＨフィードバック情報を受信する。
【０１９４】
＜１＞ＤＬ／ＵＬ  ｃｏｎｆｉｇｕｒａｔｉｏｎ  ６では、特殊サブフレームｎ＝１で送信されたＰＵＳＣＨに対し、ＵＥは、対応するＨＡＲＱダウンリンクＰＨＩＣＨフィードバック情報を、サブフレーム１から５番目のサブフレームで受信する、すなわち、サブフレームｎ＝６で、ＰＵＳＣＨに対応するＨＡＲＱダウンリンクＰＨＩＣＨフィードバック情報を受信する。特殊サブフレームｎ＝６で送信されたＰＵＳＣＨに対しては、ＵＥは、対応するＨＡＲＱダウンリンクＰＨＩＣＨフィードバック情報を、サブフレーム６から５番目のサブフレームで受信する（すなわち、ＵＥは、次の無線フレーム内の特殊サブフレームｎ＝１で、ＰＵＳＣＨに対応するＨＡＲＱダウンリンクＰＨＩＣＨフィードバック情報を受信する）。
【０１９５】
本発明のこの実施形態の方法によって、ＰＵＳＣＨに対応するＰＨＩＣＨ資源のサブフレーム位置が決定された後、ＰＨＩＣＨ資源の時間周波数領域がさらに決定される。次に、この方法では、ＰＨＩＣＨ資源に対応するサブフレーム位置に応じてＩＰＨＩＣＨを使用することによって、ＰＵＳＣＨに対応するＰＨＩＣＨ群番号を決定することは、以下であり得る。
【０１９６】
サブフレーム構成０では、４対のサブフレームに対応するダウンリンクＰＨＩＣＨが同一のサブフレームで送信され、サブフレームのこれら４対はそれぞれ、１と２、３と４、６と７、及び８と９である。したがって、この実施形態においては、サブフレームの各対のどちらかのサブフレームで送信されたＰＵＳＣＨに対応するＰＨＩＣＨ資源のＰＨＩＣＨ群番号表示因子は、ＩＰＨＩＣＨ＝１とすることができる。この例では、サブフレームｍ＝２、４、７、及び９に対応するＩＰＨＩＣＨは１であり、サブフレームｍ＝２、４、７、及び９以外の、現在の特殊サブフレームの無線フレーム内の、他のサブフレームに対応するＩＰＨＩＣＨは０であることが規定され得る。
【０１９７】
サブフレーム構成６では、２対のサブフレームに対応するダウンリンクＰＨＩＣＨが同一のサブフレームで送信され、サブフレームのこれら２対はそれぞれ、１と８、及び４と６である。したがって、この実施形態においては、サブフレームの各対のどちらかのサブフレームで送信されたＰＵＳＣＨに対応するＰＨＩＣＨ資源のＰＨＩＣＨ群番号表示因子は、ＩＰＨＩＣＨ＝１とすることができる。この例では、サブフレーム１及び６に対応するＰＨＩＣＨ群番号表示因子ＩＰＨＩＣＨは１であり、サブフレーム１及び６以外の、現在の特殊サブフレームの無線フレーム内の、他のサブフレームに対応するＩＰＨＩＣＨは０であることが規定され得る。ＩＰＨＩＣＨの値の式は、以下とすることができる。
（外７）
2019083540.tif 000022
【０１９８】
それに応じて、本発明ではＰＨＩＣＨ群数量
（外８）
2019083540.tif 000023
に対するｍｉ（ＰＨＩＣＨの群数量範囲因子を表す）の値を
ＵＬ／ＤＬ  ｃｏｎｆｉｇｕｒａｔｉｏｎ  ０では、ＰＨＩＣＨ資源がサブフレーム１及び６に追加されるので、ｍｉ＝２であり、
ＵＬ／ＤＬ  ｃｏｎｆｉｇｕｒａｔｉｏｎ  ６では、ＰＨＩＣＨ資源がサブフレーム１及び６に追加されるので、ｍｉ＝２であり、
ＵＬ／ＤＬ  ｃｏｎｆｉｇｕｒａｔｉｏｎ  １では、ＰＨＩＣＨ資源がサブフレーム０及び５に追加されるので、ｍｉ＝１であり、
ＵＬ／ＤＬ  ｃｏｎｆｉｇｕｒａｔｉｏｎ  ２では、ＰＨＩＣＨ資源がサブフレーム１及び６に追加されるので、ｍｉ＝１であり、
同様に、ＵＬ／ＤＬ  ｃｏｎｆｉｇｕｒａｔｉｏｎｓ  ３から５では、ＰＨＩＣＨ資源がサブフレーム７に追加されるので、ｍｉ＝１であると規定する。
【０１９９】
他のサブフレーム内のＰＨＩＣＨ資源は変更されず、この実施形態においては、それぞれの構成におけるｍｉの値は表１４で示すことができる。
【０２００】
【表１４】
2019083540.tif 000024
【０２０１】
実施形態３
ＰＵＳＣＨを送信するために使用されるアップリンク資源のサブフレームが、現在の特殊サブフレーム及び他のサブフレームを含むとき、すなわち、特殊サブフレームと他の通常のサブフレームが送信のためにバンドルされているとき、この実施形態において、ＲＴＴ＝３０ｍｓのときの各構成のタイミング関係は、具体的に、
ＵＬ／ＤＬ  ｃｏｎｆｉｇｕｒａｔｉｏｎ  ０では、特殊サブフレーム１及び６と通常サブフレーム２、３、４、７、８、及び９とが、バンドルサブフレーム（ｂｕｎｄｌｅ）としてバンドルされてＰＵＳＣＨを送信する場合、バンドルサブフレームと対応するダウンリンクＰＨＩＣＨの受信位置は、ｂｕｎｄｌｅ内の最終サブフレーム９と関連付けられ、ｋＰＨＩＣＨ＝６であり、受信位置は、次の無線フレーム内のサブフレーム５になり、
ＵＬ／ＤＬ  ｃｏｎｆｉｇｕｒａｔｉｏｎ  １では、特殊サブフレーム１及び６と通常サブフレーム２、３、７、及び８とが、バンドルサブフレーム（ｂｕｎｄｌｅ）としてバンドルされてＰＵＳＣＨを送信する場合、バンドルサブフレームと対応するダウンリンクＰＨＩＣＨの受信位置は、ｂｕｎｄｌｅ内の最終サブフレーム８と関連付けられ、ｋＰＨＩＣＨ＝６であり、受信位置は、次の無線フレーム内のサブフレーム４になり、
ＵＬ／ＤＬ  ｃｏｎｆｉｇｕｒａｔｉｏｎ  ２では、特殊サブフレーム１及び６と通常サブフレーム２及び７とが、バンドルサブフレーム（ｂｕｎｄｌｅ）としてバンドルされてＰＵＳＣＨを送信する場合、バンドルサブフレームと対応するダウンリンクＰＨＩＣＨの受信位置は、ｂｕｎｄｌｅ内の最終サブフレーム７と関連付けられ、ｋＰＨＩＣＨ＝１９であり、受信位置は、そのフレームから２番目の無線フレーム内のサブフレーム６になり、
ＵＬ／ＤＬ  ｃｏｎｆｉｇｕｒａｔｉｏｎ  ３では、特殊サブフレーム１と通常サブフレーム２、３及び４とが、バンドルサブフレーム（ｂｕｎｄｌｅ）としてバンドルされてＰＵＳＣＨを送信し、バンドルサブフレームと対応するダウンリンクＰＨＩＣＨの受信位置は、ｂｕｎｄｌｅ内の最終サブフレーム４と関連付けられ、ｋＰＨＩＣＨ＝１６であり、受信位置は、そのフレームから２番目の無線フレーム内のサブフレーム０になり、
ＵＬ／ＤＬ  ｃｏｎｆｉｇｕｒａｔｉｏｎ  ４では、特殊サブフレーム１と通常サブフレーム２及び３とが、バンドルサブフレーム（ｂｕｎｄｌｅ）としてバンドルされてＰＵＳＣＨを送信し、バンドルサブフレームと対応するダウンリンクＰＨＩＣＨの受信位置は、ｂｕｎｄｌｅ内の最終サブフレーム３と関連付けられ、ｋＰＨＩＣＨ＝６であり、受信位置はサブフレーム９になり、
ＵＬ／ＤＬ  ｃｏｎｆｉｇｕｒａｔｉｏｎ  ５では、特殊サブフレーム１と通常サブフレーム２とが、バンドルサブフレーム（ｂｕｎｄｌｅ）としてバンドルされてＰＵＳＣＨを送信し、バンドルサブフレームと対応するダウンリンクＰＨＩＣＨの受信位置は、ｂｕｎｄｌｅ内の最終サブフレーム２と関連付けられ、ｋＰＨＩＣＨ＝２５であり、受信位置は、そのフレームから２番目の無線フレーム内のサブフレーム７になり、
ＵＬ／ＤＬ  ｃｏｎｆｉｇｕｒａｔｉｏｎ  ６では、特殊サブフレーム１及び６と通常サブフレーム２、３、４、７、及び８とが、バンドルサブフレーム（ｂｕｎｄｌｅ）としてバンドルされてＰＵＳＣＨを送信し、バンドルサブフレームと対応するダウンリンクＰＨＩＣＨの受信位置は、ｂｕｎｄｌｅ内の最終サブフレーム８と関連付けられ、ｋＰＨＩＣＨ＝１７であり、受信位置は、そのフレームから２番目の無線フレーム内のサブフレーム５になる。
【０２０２】
上記の方法によって決定されたＫの具体的な任意選択値は表１５で示すことができる。
【０２０３】
【表１５】
2019083540.tif 000025
【０２０４】
実施形態４
ユーザ機器が特殊サブフレームでアップリンクデータを送信した後、基地局側では、特定のサブフレームで送信されたアップリンクデータに対応するフィードバック情報を決定する必要があり、したがって、この考えに基づいて、本発明のこの実施形態ではさらに、別の制御チャネル資源割当方法を提供する。この方法は、以下のステップを含む（この方法の過程は図４に示されている）。
【０２０５】
ステップ４０１で基地局は、現在の特殊サブフレームでＰＵＳＣＨを受信する。
【０２０６】
ステップ４０２で基地局は、ＰＵＳＣＨ受信用のアップリンク資源に応じて、ＰＵＳＣＨに対応するＰＨＩＣＨ資源を決定し、ここで、ＰＵＳＣＨ送信用のアップリンク資源は現在の特殊サブフレームを含む。
【０２０７】
本発明のこの実施形態においては、ＰＵＳＣＨ受信用のアップリンク資源に応じて基地局によって、ＰＵＳＣＨに対応するＰＨＩＣＨ資源を決定することは、
ＰＵＳＣＨ受信用のアップリンク資源に応じて基地局によって、ＰＵＳＣＨに対応するＰＨＩＣＨ資源のサブフレーム位置を決定することと、
そのサブフレーム位置に応じてＰＨＩＣＨ資源のＰＨＩＣＨ群番号を決定することと、これらサブフレーム位置及びＰＨＩＣＨ群番号に応じて、ＰＵＳＣＨに対応するＰＨＩＣＨ資源を決定することとを含む。
【０２０８】
ステップ４０３で基地局は、ＰＨＩＣＨを決定されたＰＨＩＣＨ資源によって送信する。
【０２０９】
上記の方法により、以下では、本発明のこの実施形態において提供される方法を、表及び様々なアップリンク−ダウンリンクサブフレーム構成に関して詳細に説明する。
【０２１０】
Ｉ．ＰＵＳＣＨ送信用のアップリンク資源のサブフレームが現在の特殊サブフレームだけであるとき、ＰＵＳＣＨ受信用のアップリンク資源に応じて基地局によって、ＰＵＳＣＨに対応するＰＨＩＣＨ資源のサブフレーム位置を決定することは、
具体的に、ＬＴＥ（ＬＴＥ，Ｌｏｎｇ  Ｔｅｒｍ  Ｅｖｏｌｕｔｉｏｎ）ＴＤＤ方式で規定され表１に示されている７つのアップリンク−ダウンリンクサブフレーム構成に関して、以下では、それぞれの構成におけるＰＨＩＣＨ資源の実現可能な解決策を詳細に説明するが、
アップリンク−ダウンリンクサブフレーム構成が０であり、また現在の特殊サブフレームがサブフレームｎであるときに、ＰＨＩＣＨ資源が現在の特殊サブフレームｎからＫ番目のサブフレームに位置すると決定することを含み、ここで、ｎ＝１若しくは６のとき、Ｋ＝５であり、又はｎ＝１若しくは６のとき、Ｋ＝１０である、或いは
アップリンク−ダウンリンクサブフレーム構成が１であり、また現在の特殊サブフレームがサブフレームｎであるときに、ＰＨＩＣＨ資源が現在の特殊サブフレームｎからＫ番目のサブフレームに位置すると決定することを含み、ここで、
ｎ＝１若しくは６のとき、Ｋ＝４であり、
ｎ＝１若しくは６のとき、Ｋ＝５であり、又は
ｎ＝１若しくは６のとき、Ｋ＝８である、或いは
アップリンク−ダウンリンクサブフレーム構成が２であり、また現在の特殊サブフレームがサブフレームｎであるときに、ＰＨＩＣＨ資源が現在の特殊サブフレームｎからＫ番目のサブフレームに位置すると決定することを含み、ここで、
ｎ＝１若しくは６のとき、Ｋ＝４であり、
ｎ＝１若しくは６のとき、Ｋ＝５であり、
ｎ＝１若しくは６のとき、Ｋ＝７であり、又は
ｎ＝１若しくは６のとき、Ｋ＝８である、或いは
アップリンク−ダウンリンクサブフレーム構成が３であり、また現在の特殊サブフレームがサブフレームｎであるときに、ＰＨＩＣＨ資源が現在の特殊サブフレームｎからＫ番目のサブフレームに位置すると決定することを含み、ここで、ｎ＝１のとき、Ｋ＝４、５、６、７、８、又は９である、或いは
アップリンク−ダウンリンクサブフレーム構成が４であり、また現在の特殊サブフレームがサブフレームｎであるときに、ＰＨＩＣＨ資源が現在の特殊サブフレームｎからＫ番目のサブフレームに位置すると決定することを含み、ここで、ｎ＝１のとき、Ｋ＝４、５、６、７、８、又は９である、或いは
アップリンク−ダウンリンクサブフレーム構成が５であり、また現在の特殊サブフレームがサブフレームｎであるときに、ＰＨＩＣＨ資源が現在の特殊サブフレームｎからＫ番目のサブフレームに位置すると決定することを含み、ここで、ｎ＝１のとき、Ｋ＝４、５、６、７、８、又は９である、或いは
アップリンク−ダウンリンクサブフレーム構成が６であり、また現在の特殊サブフレームがサブフレームｎであるときに、ＰＨＩＣＨ資源が現在の特殊サブフレームｎからＫ番目のサブフレームに位置すると決定することを含み、ここで、
ｎ＝１若しくは６のとき、Ｋ＝４であり、ｎ＝１若しくは６のとき、Ｋ＝５であり、ｎ＝１若しくは６のとき、Ｋ＝８であり、ｎ＝１若しくは６のとき、Ｋ＝９であり、又はｎ＝１若しくは６のとき、Ｋ＝１０である。
【０２１１】
ＩＩ．既存のプロトコルＲｅｌ−１１はさらに、アップリンクＰＵＳＣＨがサブフレームバンドリング（ｓｕｂｆｒａｍｅ  ｂｕｎｄｌｉｎｇ  ｏｒ  ＴＴＩ  ｂｕｎｄｌｉｎｇ）方法で送信され得る、と規定する。ＰＵＳＣＨ送信用のアップリンク資源のサブフレームが現在の特殊サブフレーム及び他のサブフレームを含むとき、ＰＵＳＣＨ受信用のアップリンク資源に応じて基地局によって、ＰＵＳＣＨに対応するＰＨＩＣＨ資源のサブフレーム位置を決定することは以下を含む。
ＰＵＳＣＨ送信用のアップリンク資源のサブフレームが現在の特殊サブフレーム、及び現在の特殊サブフレームとバンドルされた協調サブフレームを含むとき、ＰＵＳＣＨ受信用のアップリンク資源に応じて基地局によって、ＰＵＳＣＨに対応するＰＨＩＣＨ資源のサブフレーム位置を決定することが、
協調サブフレームに応じて、ＰＵＳＣＨに対応するＰＨＩＣＨ資源のサブフレーム位置を決定することを含む。
【０２１２】
本発明のこの実施形態においては、協調サブフレームは、現在の特殊サブフレームの無線フレーム内の少なくとも１つのアップリンクサブフレーム、及び／又は現在の特殊サブフレーム以外の、無線フレーム内の他の特殊サブフレームを含む。
【０２１３】
さらに、送信遅延及びｅＮＢ処理時間を包括的に考慮し、また送信遅延及びＵＥ処理時間を考慮して、本発明のこの実施形態においては、ＰＵＳＣＨ受信用のアップリンク資源に応じて基地局によって、ＰＵＳＣＨに対応するＰＨＩＣＨ資源のサブフレーム位置を決定することは、
協調サブフレーム内の最終サブフレームＬに応じて、ＰＵＳＣＨに対応するＰＨＩＣＨ資源のサブフレーム位置を決定することを含む。
【０２１４】
具体的には、ＬＴＥ  ＴＤＤ方式で定義され表１に示されている７つのアップリンク−ダウンリンクサブフレーム構成に関して、以下では、協調サブフレーム内の最終サブフレームＬに応じて各構成において、ＰＵＳＣＨに対応するＰＨＩＣＨ資源のサブフレーム位置を決定する実現可能な解決策を詳細に説明する。
【０２１５】
異なる構成については、具体的なバンドリング中のアップリンクサブフレームの位置及び数量が異なるので、複数の事例があり得る。以下では、様々なバンドリング事例によって説明をする。
【０２１６】
方法１では、１つの無線フレーム内のすべてのアップリンクサブフレームがバンドルされて１つのバンドルサブフレームを形成し、それぞれのバンドルサブフレームは１つのＨＡＲＱ過程に対応する。具体的な実現は以下であり得る。
アップリンク−ダウンリンクサブフレーム構成が０である場合には、無線フレーム内の特殊サブフレーム１及び６がその無線フレーム内のサブフレーム２、３、４、７、８、及び９とバンドルされるときに、ＰＨＩＣＨ資源が最終サブフレームＬからＫ番目のサブフレームに位置すると決定することであり、ここでＬ＝９、及びＫ＝６である、或いは
アップリンク−ダウンリンクサブフレーム構成が１である場合には、無線フレーム内の特殊サブフレーム１及び６がその無線フレーム内のサブフレーム２、３、７及び８とバンドルされるときに、ＰＨＩＣＨ資源が最終サブフレームＬからＫ番目のサブフレームに位置すると決定することであり、ここでＬ＝８、及びＫ＝６である、或いは
アップリンク−ダウンリンクサブフレーム構成が２である場合には、無線フレーム内の特殊サブフレーム１及び６がその無線フレーム内のサブフレーム２及び７とバンドルされるときに、ＰＨＩＣＨ資源が最終サブフレームＬからＫ番目のサブフレームに位置すると決定することであり、ここでＬ＝７、及びＫ＝６、９、若しくは１９である、或いは
アップリンク−ダウンリンクサブフレーム構成が３である場合には、無線フレーム内の特殊サブフレーム１がその無線フレーム内のサブフレーム２、３、及び４とバンドルされるときに、ＰＨＩＣＨ資源が最終サブフレームＬからＫ番目のサブフレームに位置すると決定することであり、ここでＬ＝４、及びＫ＝１６である、或いは
アップリンク−ダウンリンクサブフレーム構成が５である場合には、無線フレーム内の特殊サブフレーム１がその無線フレーム内のサブフレーム２とバンドルされるときに、ＰＨＩＣＨ資源が最終サブフレームＬからＫ番目のサブフレームに位置すると決定することであり、ここでＬ＝２、及びＫ＝５、１５、若しくは２５である、或いは
アップリンク−ダウンリンクサブフレーム構成が６である場合には、無線フレーム内の特殊サブフレーム１及び６がその無線フレーム内のサブフレーム２、３、４、７及び８とバンドルされるときに、ＰＨＩＣＨ資源が最終サブフレームＬからＫ番目のサブフレームに位置すると決定することであり、ここでＬ＝８、及びＫ＝１７である。
【０２１７】
方法２では、１つの無線フレームが２つの特殊サブフレームを含むとき、それぞれの特殊サブフレームが１つのバンドルサブフレームを形成することができ、各バンドルサブフレームは別個に、異なるＨＡＲＱ過程に対応し、具体的な実現は以下であり得る。
【０２１８】
１．アップリンク−ダウンリンクサブフレーム構成が２である場合には、無線フレーム内の特殊サブフレーム１と無線フレーム内のサブフレーム２がバンドルされて第１のバンドルフレームを形成し、また無線フレーム内の特殊サブフレーム６と無線フレーム内のサブフレーム７がバンドルされて第２のバンドルフレームを形成するときに、協調サブフレーム内の最終サブフレームＬに応じて、ＰＵＳＣＨに対応するＰＨＩＣＨ資源のサブフレーム位置を決定することは、
第１のバンドルフレームに対応する第１のＰＨＩＣＨ資源が最終サブフレームＬからＫ番目のサブフレームに位置すると決定することを含み、ここでＬ＝２、及びＫ１＝４であり、また
第２のバンドルフレームに対応する第２のＰＨＩＣＨ資源が最終サブフレームＬからＫ番目のサブフレームに位置すると決定することを含み、ここでＬ＝７、及びＫ２＝４である。
【０２１９】
２．アップリンク−ダウンリンクサブフレーム構成が３である場合には、無線フレーム内の特殊サブフレーム１とその無線フレーム内のサブフレーム２及び３とがバンドルされて第１のバンドルフレームを形成し、その無線フレーム内のサブフレーム４と、次の無線フレーム内の特殊サブフレーム１と、次の無線フレーム内のサブフレーム２とがバンドルされて第２のバンドルフレームを形成し、また次の無線フレーム内のサブフレーム３及び４がバンドルされて第３のバンドルフレームを形成するときに、協調サブフレーム内の最終サブフレームＬに応じて、ＰＵＳＣＨに対応するＰＨＩＣＨ資源のサブフレーム位置を決定することは、
第１のバンドルフレームに対応する第１のＰＨＩＣＨ資源が最終サブフレームＬからＫ番目のサブフレームに位置すると決定することを含み、ここでＬ＝３、及びＫ＝６であり、
第２のバンドルフレームに対応する第２のＰＨＩＣＨ資源が最終サブフレームＬからＫ番目のサブフレームに位置すると決定することを含み、ここでＬ＝２、及びＫ＝６であり、また
第３のバンドルフレームに対応する第３のＰＨＩＣＨ資源が最終サブフレームＬからＫ番目のサブフレームに位置すると決定することを含み、ここでＬ＝４、及びＫ＝６である。
【０２２０】
基地局が、ＰＵＳＣＨに対応するＰＨＩＣＨ資源のサブフレーム位置を決定した後、基地局に対応するＰＨＩＣＨ情報を、群内のＰＨＩＣＨのＰＨＩＣＨ群番号及び直交系列番号
（外９）
2019083540.tif 000026
による以下の式を使用することによって一意に決定することができ、また分離される。
（外１０）
2019083540.tif 000027
本発明のこの実施形態において提供される方法では、ＰＨＩＣＨ資源の時間周波数領域がさらに決定される。この方法では、ＰＨＩＣＨ資源のＰＨＩＣＨ群番号はさらに、サブフレーム位置によって決定され、これは具体的に、
ＰＨＩＣＨ資源に対応するサブフレーム位置に応じて、またＰＨＩＣＨ群番号表示因子ＩＰＨＩＣＨを使用することによって、ＰＵＳＣＨに対応するＰＨＩＣＨ群番号を決定することを含む。
【０２２１】
一具体例では、サブフレーム位置に応じてＰＨＩＣＨ資源のＰＨＩＣＨ群番号を決定することは、
１．アップリンク−ダウンリンクサブフレーム構成が０であるとき、現在の特殊サブフレームはサブフレームｎであり、ＰＨＩＣＨ資源は特殊サブフレームｎからＫ番目のサブフレームに位置し、ここでｎ＝１又は６、Ｋ＝５のときに、サブフレーム２、４、７、及び９に対応するＰＨＩＣＨ群番号表示因子ＩＰＨＩＣＨは１であり、サブフレーム２、４、７、及び９以外の、現在の特殊サブフレームの無線フレーム内の、他のサブフレームに対応するＩＰＨＩＣＨは０であると決定することと、決定ＩＰＨＩＣＨを使用することによって、ＰＵＳＣＨに対応するＰＨＩＣＨ群番号を決定すること、或いは
アップリンク−ダウンリンクサブフレーム構成が０であるとき、現在の特殊サブフレームはサブフレームｎであり、ＰＨＩＣＨ資源は特殊サブフレームｎからＫ番目のサブフレームに位置し、ここでｎ＝１又は６、Ｋ＝５のときに、サブフレーム１、６、４、及び９に対応するＰＨＩＣＨ群番号表示因子ＩＰＨＩＣＨは１であり、サブフレーム１、６、４、及び９以外の、現在の特殊サブフレームの無線フレーム内の、他のサブフレームに対応するＩＰＨＩＣＨは０であると決定することと、決定ＩＰＨＩＣＨを使用することによって、ＰＵＳＣＨに対応するＰＨＩＣＨ群番号を決定することと、
２．アップリンク−ダウンリンクサブフレーム構成が６であるとき、現在の特殊サブフレームはサブフレームｎであり、ＰＨＩＣＨ資源は特殊サブフレームｎからＫ番目のサブフレームに位置し、ここでｎ＝１又は６、Ｋ＝４のときに、サブフレーム６、及び８に対応するＰＨＩＣＨ群番号表示因子ＩＰＨＩＣＨは１であり、サブフレーム６、及び８以外の、現在の特殊サブフレームの無線フレーム内の、他のサブフレームに対応するＩＰＨＩＣＨは０であると決定することと、決定ＩＰＨＩＣＨを使用することによって、ＰＵＳＣＨに対応するＰＨＩＣＨ群番号を決定すること、或いは
アップリンク−ダウンリンクサブフレーム構成が６であるとき、現在の特殊サブフレームはサブフレームｎであり、ＰＨＩＣＨ資源は特殊サブフレームｎからＫ番目のサブフレームに位置し、ここでｎ＝１又は６、Ｋ＝４のときに、サブフレーム１及び４に対応するＰＨＩＣＨ群番号表示因子ＩＰＨＩＣＨは１であり、サブフレーム１及び４以外の、現在の特殊サブフレームの無線フレーム内の、他のサブフレームに対応するＩＰＨＩＣＨは０であると決定することと、決定ＩＰＨＩＣＨを使用することによって、ＰＵＳＣＨに対応するＰＨＩＣＨ群番号を決定することとを含む。
【０２２２】
実施形態５
図５に示されるように、実施形態１において提供される方法のために、本発明のこの実施形態ではさらに、ユーザ機器５００を提供する。このユーザ機器は、
ＰＵＳＣＨを現在の特殊サブフレームで送出するように構成された送出ユニット５０１と、
ＰＵＳＣＨ送信用のアップリンク資源に応じて、ＰＵＳＣＨに対応するＰＨＩＣＨ資源を決定するように構成された決定モジュール５０２であって、ＰＵＳＣＨ送信用のアップリンク資源が現在の特殊サブフレームを含む、決定モジュールと、
ＰＨＩＣＨを決定されたＰＨＩＣＨ資源によって受信するように構成された受信ユニット５０３とを含む。
【０２２３】
ＰＵＳＣＨに対応するＰＨＩＣＨ資源を決定することは、この資源のサブフレーム位置、及びこの資源のＰＨＩＣＨ群番号を決定することを含む。したがって、決定される必要があるコンテンツに対し、決定ユニット５０２は具体的に、
ＰＵＳＣＨ送信用のアップリンク資源に応じて、ＰＵＳＣＨに対応するＰＨＩＣＨ資源のサブフレーム位置を決定するように構成されたサブフレーム位置決定モジュールと、
サブフレーム位置に応じてＰＨＩＣＨ資源のＰＨＩＣＨ群番号を決定するように、またサブフレーム位置及びＰＨＩＣＨ群番号に応じて、ＰＵＳＣＨに対応するＰＨＩＣＨ資源を決定するように構成された資源群番号決定モジュールとを含む。
【０２２４】
Ｉ．ＰＵＳＣＨ送信用のアップリンク資源のサブフレームが現在の特殊サブフレームだけであるときに、ＵＥが、ＰＵＳＣＨ送信用のアップリンク資源に応じて、ＰＵＳＣＨに対応するＰＨＩＣＨ資源のサブフレーム位置を決定するとき、サブフレーム位置決定モジュールはさらに、
アップリンク−ダウンリンクサブフレーム構成が０であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１若しくは６のとき、Ｋ＝５であり、又はｎ＝１若しくは６のとき、Ｋ＝１０である、或いは
アップリンク−ダウンリンクサブフレーム構成が１であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１若しくは６のとき、Ｋ＝４であり、ｎ＝１若しくは６のとき、Ｋ＝５であり、又はｎ＝１若しくは６のとき、Ｋ＝８である、或いは
アップリンク−ダウンリンクサブフレーム構成が２であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１若しくは６のとき、Ｋ＝４であり、ｎ＝１若しくは６のとき、Ｋ＝５であり、ｎ＝１若しくは６のとき、Ｋ＝７であり、又はｎ＝１若しくは６のとき、Ｋ＝８である、或いは
アップリンク−ダウンリンクサブフレーム構成が３であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が４であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が５であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が６であり、また現在の特殊サブフレームがサブフレームｎであるときに、ＰＨＩＣＨ資源が現在の特殊サブフレームｎからＫ番目のサブフレームに位置すると決定するように構成され、ここで
ｎ＝１若しくは６のとき、Ｋ＝４であり、
ｎ＝１若しくは６のとき、Ｋ＝５であり、
ｎ＝１若しくは６のとき、Ｋ＝８であり、
ｎ＝１若しくは６のとき、Ｋ＝９であり、又は
ｎ＝１若しくは６のとき、Ｋ＝１０である。
【０２２５】
ＩＩ．既存のプロトコルＲｅｌ−１１はさらに、アップリンクＰＵＳＣＨがサブフレームバンドリング（ｓｕｂｆｒａｍｅ  ｂｕｎｄｌｉｎｇ  ｏｒ  ＴＴＩ  ｂｕｎｄｌｉｎｇ）方法で送信され得る、と規定する。ＰＵＳＣＨ送信用の資源はバンドルフレームとすることができ、したがって、サブフレーム位置決定モジュールが、ＰＵＳＣＨに対応するＰＨＩＣＨ資源のサブフレーム位置を決定するとき、具体的な実現は、
ＰＵＳＣＨ送信用のアップリンク資源のサブフレームが現在の特殊サブフレーム及び他のサブフレームを含むとき、サブフレーム位置決定モジュールはさらに、協調サブフレームに応じて、ＰＵＳＣＨに対応するＰＨＩＣＨ資源のサブフレーム位置を決定するように構成されるものとすることができる。
【０２２６】
加えて、サブフレーム位置決定モジュールはさらに、協調サブフレームに含まれる、現在の特殊サブフレームの無線フレーム内の、少なくとも１つのアップリンクサブフレーム、及び／又は、協調サブフレームに含まれる、現在の特殊サブフレーム以外の無線フレーム内の、他の特殊サブフレームを使用することによって、ＰＵＳＣＨに対応するＰＨＩＣＨ資源のサブフレーム位置を決定するように構成される。
【０２２７】
任意選択で、送信遅延及びｅＮＢ処理時間を包括的に考慮し、また送信遅延及びＵＥ処理時間を考慮して、サブフレーム位置決定モジュールはさらに、協調サブフレーム内の最終サブフレームＬに応じて、ＰＵＳＣＨに対応するＰＨＩＣＨ資源のサブフレーム位置を決定するように構成される。
【０２２８】
具体的には、ＬＴＥ  ＴＤＤ方式で定義され表１に示されている７つのアップリンク−ダウンリンクサブフレーム構成に関して、それぞれの構成において、サブフレーム位置決定モジュールが、協調サブフレーム内の最終サブフレームＬに応じて、ＰＵＳＣＨに対応するＰＨＩＣＨ資源のサブフレーム位置を決定する複数の方法があり、これらは具体的に以下であり得る。
【０２２９】
方法１では、１つの無線フレーム内のすべてのアップリンクサブフレームと特殊サブフレームがバンドルされて１つのバンドルサブフレームを形成し、それぞれのバンドルサブフレームが１つのＨＡＲＱ過程に対応するとき、サブフレーム位置決定モジュールはさらに、
アップリンク−ダウンリンクサブフレーム構成が０である場合には、無線フレーム内の特殊サブフレーム１及び６がその無線フレーム内のサブフレーム２、３、４、７、８、及び９とバンドルされるときに、ＰＨＩＣＨ資源が最終サブフレームＬからＫ番目のサブフレームに位置すると決定するように構成され、ここでＬ＝９、及びＫ＝６である、或いは
アップリンク−ダウンリンクサブフレーム構成が１である場合には、無線フレーム内の特殊サブフレーム１及び６がその無線フレーム内のサブフレーム２、３、７及び８とバンドルされるときに、ＰＨＩＣＨ資源が最終サブフレームＬからＫ番目のサブフレームに位置すると決定するように構成され、ここでＬ＝８、及びＫ＝６である、或いは
アップリンク−ダウンリンクサブフレーム構成が２である場合には、無線フレーム内の特殊サブフレーム１及び６がその無線フレーム内のサブフレーム２及び７とバンドルされるときに、ＰＨＩＣＨ資源が最終サブフレームＬからＫ番目のサブフレームに位置すると決定するように構成され、ここでＬ＝７、及びＫ＝６、９、又は１９である、或いは
アップリンク−ダウンリンクサブフレーム構成が３である場合には、無線フレーム内の特殊サブフレーム１がその無線フレーム内のサブフレーム２、３、及び４とバンドルされるときに、ＰＨＩＣＨ資源が最終サブフレームＬからＫ番目のサブフレームに位置すると決定するように構成され、ここでＬ＝４、及びＫ＝１６である、或いは
アップリンク−ダウンリンクサブフレーム構成が５である場合には、無線フレーム内の特殊サブフレーム１がその無線フレーム内のサブフレーム２とバンドルされるときに、ＰＨＩＣＨ資源が最終サブフレームＬからＫ番目のサブフレームに位置すると決定するように構成され、ここでＬ＝２、及びＫ＝５、１５、又は２５である、或いは
アップリンク−ダウンリンクサブフレーム構成が６である場合には、無線フレーム内の特殊サブフレーム１及び６がその無線フレーム内のサブフレーム２、３、４、７及び８とバンドルされるときに、ＰＨＩＣＨ資源が最終サブフレームＬからＫ番目のサブフレームに位置すると決定するように構成され、ここでＬ＝８、及びＫ＝１７である。
【０２３０】
方法２では、１つの無線フレームが２つの特殊サブフレームを含むとき、それぞれの特殊サブフレームが１つのバンドルサブフレームを形成することができ、各バンドルサブフレームは別個に、異なるＨＡＲＱ過程に対応し、これは具体的に以下を含む。
【０２３１】
アップリンク−ダウンリンクサブフレーム構成が２である場合には、無線フレーム内の特殊サブフレーム１と無線フレーム内のサブフレーム２がバンドルされて第１のバンドルフレームを形成し、また無線フレーム内の特殊サブフレーム６と無線フレーム内のサブフレーム７がバンドルされて第２のバンドルフレームを形成するときに、サブフレーム位置決定モジュールはさらに、
第１のバンドルフレームに対応する第１のＰＨＩＣＨ資源が最終サブフレームＬからＫ１番目のサブフレームに位置すると決定するように構成され、ここでＬ＝２、及びＫ１＝４であり、また
第２のバンドルフレームに対応する第２のＰＨＩＣＨ資源が最終サブフレームＬからＫ２番目のサブフレームに位置すると決定するように構成され、ここでＬ＝７、及びＫ２＝４である。
【０２３２】
アップリンク−ダウンリンクサブフレーム構成が３である場合には、無線フレーム内の特殊サブフレーム１とその無線フレーム内のサブフレーム２及び３とがバンドルされて第１のバンドルフレームを形成し、その無線フレーム内のサブフレーム４と、次の無線フレーム内の特殊サブフレーム１と、次の無線フレーム内のサブフレーム２とがバンドルされて第２のバンドルフレームを形成し、また次の無線フレーム内のサブフレーム３及び４がバンドルされて第３のバンドルフレームを形成するときに、サブフレーム位置決定モジュールはさらに、
第１のバンドルフレームに対応する第１のＰＨＩＣＨ資源が最終サブフレームＬからＫ番目のサブフレームに位置すると決定するように構成され、ここでＬ＝３、及びＫ＝６であり、
第２のバンドルフレームに対応する第２のＰＨＩＣＨ資源が最終サブフレームＬからＫ番目のサブフレームに位置すると決定するように構成され、ここでＬ＝２、及びＫ＝６であり、また
第３のバンドルフレームに対応する第３のＰＨＩＣＨ資源が最終サブフレームＬからＫ番目のサブフレームに位置すると決定し、ここでＬ＝４、及びＫ＝６である。
【０２３３】
ＵＥが、ＰＵＳＣＨに対応するＰＨＩＣＨ資源のサブフレーム位置を決定した後、ＰＵＳＣＨに対応するＰＨＩＣＨ情報は、ＰＨＩＣＨ群番号及びその群内のＰＨＩＣＨの直交系列番号
（外１１）
2019083540.tif 000028
による以下の式を使用することによって一意に決定することができ、また分離される。
（外１２）
2019083540.tif 000029
本発明のこの実施形態において提供される方法では、ＰＨＩＣＨ資源の時間周波数領域がさらに決定され、資源群番号決定モジュールはさらに、ＰＨＩＣＨ資源に対応するサブフレーム位置に応じて、またＰＨＩＣＨ群番号表示因子ＩＰＨＩＣＨを使用することによって、ＰＵＳＣＨに対応するＰＨＩＣＨ群番号を決定するように構成される。
【０２３４】
任意選択で、資源群番号決定モジュールはさらに、
アップリンク−ダウンリンクサブフレーム構成が０であるとき、現在の特殊サブフレームはサブフレームｎであり、ＰＨＩＣＨ資源は特殊サブフレームｎからＫ番目のサブフレームに位置し、ここでｎ＝１又は６、Ｋ＝５のときに、サブフレーム２、４、７、及び９に対応するＰＨＩＣＨ群番号表示因子ＩＰＨＩＣＨは１であり、サブフレーム２、４、７、及び９以外の、現在の特殊サブフレームの無線フレーム内の、他のサブフレームに対応するＩＰＨＩＣＨは０であると決定するように、また、決定ＩＰＨＩＣＨを使用することによって、ＰＵＳＣＨに対応するＰＨＩＣＨ群番号を決定するように構成され、或いは
アップリンク−ダウンリンクサブフレーム構成が０であるとき、現在の特殊サブフレームはサブフレームｎであり、ＰＨＩＣＨ資源は特殊サブフレームｎからＫ番目のサブフレームに位置し、ここでｎ＝１又は６、Ｋ＝５のときに、サブフレーム１、６、４、及び９に対応するＰＨＩＣＨ群番号表示因子ＩＰＨＩＣＨは１であり、サブフレーム１、６、４、及び９以外の、現在の特殊サブフレームの無線フレーム内の、他のサブフレームに対応するＩＰＨＩＣＨは０であると決定するように、また、決定ＩＰＨＩＣＨを使用することによって、ＰＵＳＣＨに対応するＰＨＩＣＨ群番号を決定するように構成される。
【０２３５】
任意選択で、資源群番号決定モジュールはさらに、
アップリンク−ダウンリンクサブフレーム構成が６であるとき、現在の特殊サブフレームはサブフレームｎであり、ＰＨＩＣＨ資源は特殊サブフレームｎからＫ番目のサブフレームに位置し、ここでｎ＝１又は６、Ｋ＝４のときに、サブフレーム６、及び８に対応するＰＨＩＣＨ群番号表示因子ＩＰＨＩＣＨは１であり、サブフレーム６、及び８以外の、現在の特殊サブフレームの無線フレーム内の、他のサブフレームに対応するＩＰＨＩＣＨは０であると決定するように、また、決定ＩＰＨＩＣＨを使用することによって、ＰＵＳＣＨに対応するＰＨＩＣＨ群番号を決定するように構成され、或いは
アップリンク−ダウンリンクサブフレーム構成が６であるとき、現在の特殊サブフレームはサブフレームｎであり、ＰＨＩＣＨ資源は特殊サブフレームｎからＫ番目のサブフレームに位置し、ここでｎ＝１又は６、Ｋ＝４のときに、サブフレーム１及び４に対応するＰＨＩＣＨ群番号表示因子ＩＰＨＩＣＨは１であり、サブフレーム１及び４以外の、現在の特殊サブフレームの無線フレーム内の、他のサブフレームに対応するＩＰＨＩＣＨは０であると決定するように、また、決定ＩＰＨＩＣＨを使用することによって、ＰＵＳＣＨに対応するＰＨＩＣＨ群番号を決定するように構成される。
【０２３６】
実施形態６
図６に示されるように、実施形態４において提供される方法に基づいて、本発明のこの実施形態ではさらに、基地局６００を提供する。この基地局は、
ＰＵＳＣＨを現在の特殊サブフレームで受信するように構成された受信ユニット６０１と、
ＰＵＳＣＨ受信用のアップリンク資源に応じて、ＰＵＳＣＨに対応するＰＨＩＣＨ資源を決定するように構成された決定モジュール６０２であって、アップリンク資源が現在の特殊サブフレームを含む、決定モジュール６０２と、
ＰＨＩＣＨを決定されたＰＨＩＣＨ資源によって送信するように構成された送信ユニット６０３とを含む。
【０２３７】
ＰＨＩＣＨ資源は次の２つの部分、すなわちＰＨＩＣＨ資源のサブフレーム位置、及びＰＨＩＣＨ資源のＰＨＩＣＨ群番号を含む。したがって、決定ユニット６０２は具体的に、
ＰＵＳＣＨ受信用のアップリンク資源に応じて、ＰＵＳＣＨに対応するＰＨＩＣＨ資源のサブフレーム位置を決定するように構成されたサブフレーム位置決定モジュールと、
サブフレーム位置に応じてＰＨＩＣＨ資源のＰＨＩＣＨ群番号を決定するように、またサブフレーム位置及びＰＨＩＣＨ群番号に応じて、ＰＵＳＣＨに対応するＰＨＩＣＨ資源を決定するように構成された、資源群番号決定モジュールとを含む。
【０２３８】
Ｉ．ＰＵＳＣＨ送信用のアップリンク資源のサブフレームが現在の特殊サブフレームだけであり、またサブフレーム位置決定モジュールが、ＰＵＳＣＨ受信用のアップリンク資源に応じて、ＰＵＳＣＨに対応するＰＨＩＣＨ資源のサブフレーム位置を決定するとき、サブフレーム位置決定モジュールはさらに、
アップリンク−ダウンリンクサブフレーム構成が０であり、また現在の特殊サブフレームがサブフレームｎであるときに、ＰＨＩＣＨ資源が現在の特殊サブフレームｎからＫ番目のサブフレームに位置すると決定するように構成され、ここで
ｎ＝１若しくは６のとき、Ｋ＝５であり、又は
ｎ＝１若しくは６のとき、Ｋ＝１０である、或いは
アップリンク−ダウンリンクサブフレーム構成が１であり、また現在の特殊サブフレームがサブフレームｎであるときに、ＰＨＩＣＨ資源が現在の特殊サブフレームｎからＫ番目のサブフレームに位置すると決定するように構成され、ここで
ｎ＝１若しくは６のとき、Ｋ＝４であり、
ｎ＝１若しくは６のとき、Ｋ＝５であり、又は
ｎ＝１若しくは６のとき、Ｋ＝８である、或いは
アップリンク−ダウンリンクサブフレーム構成が２であり、また現在の特殊サブフレームがサブフレームｎであるときに、ＰＨＩＣＨ資源が現在の特殊サブフレームｎからＫ番目のサブフレームに位置すると決定するように構成され、ここで
ｎ＝１若しくは６のとき、Ｋ＝４であり、
ｎ＝１若しくは６のとき、Ｋ＝５であり、
ｎ＝１若しくは６のとき、Ｋ＝７であり、又は
ｎ＝１若しくは６のとき、Ｋ＝８である、或いは
アップリンク−ダウンリンクサブフレーム構成が３であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が４であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が５であり、また現在の特殊サブフレームがサブフレームｎであるときに、ＰＨＩＣＨ資源が現在の特殊サブフレームｎからＫ番目のサブフレームに位置すると決定するように構成され、ここでｎ＝１のとき、Ｋ＝４、５、６、７、８、又は９である、或いは
アップリンク−ダウンリンクサブフレーム構成が６であり、また現在の特殊サブフレームがサブフレームｎであるときに、ＰＨＩＣＨ資源が現在の特殊サブフレームｎからＫ番目のサブフレームに位置すると決定するように構成され、ここで、
ｎ＝１若しくは６のとき、Ｋ＝４であり、
ｎ＝１若しくは６のとき、Ｋ＝５であり、
ｎ＝１若しくは６のとき、Ｋ＝８であり、
ｎ＝１若しくは６のとき、Ｋ＝９であり、又は
ｎ＝１若しくは６のとき、Ｋ＝１０である。
【０２３９】
ＩＩ．ＰＵＳＣＨ送信用のアップリンク資源のサブフレームが現在の特殊サブフレーム及び他のサブフレームを含むとき、すなわち、ＰＵＳＣＨ送信用のアップリンク資源のサブフレームが現在の特殊サブフレーム、及び現在の特殊サブフレームとバンドルされた協調サブフレームを含むとき、サブフレーム位置決定モジュールはさらに、協調サブフレームに応じて、ＰＵＳＣＨに対応するＰＨＩＣＨ資源のサブフレーム位置を決定するように構成される。
【０２４０】
具体的な実現中、サブフレーム位置決定モジュールはさらに、協調サブフレームに含まれる、現在の特殊サブフレームの無線フレーム内の、少なくとも１つのアップリンクサブフレーム、及び／又は、現在の特殊サブフレーム以外の無線フレーム内の、他の特殊サブフレームを使用することによって、ＰＵＳＣＨに対応するＰＨＩＣＨ資源のサブフレーム位置を決定するように構成される。
【０２４１】
任意選択で、送信遅延及びｅＮＢ処理時間を包括的に考慮し、また送信遅延及びＵＥ処理時間を考慮して、本発明のこの実施形態においては、サブフレーム位置決定モジュールはさらに、協調サブフレーム内の最終サブフレームＬに応じて、ＰＵＳＣＨに対応するＰＨＩＣＨ資源のサブフレーム位置を決定するようにさらに構成される。
【０２４２】
具体的には、ＬＴＥ（ＬＴＥ，Ｌｏｎｇ  Ｔｅｒｍ  Ｅｖｏｌｕｔｉｏｎ）ＴＤＤ方式で定義され表１に示されている７つのアップリンク−ダウンリンクサブフレーム構成に関して、以下では、協調サブフレーム内の最終サブフレームＬに応じて各構成において、ＰＵＳＣＨに対応するＰＨＩＣＨ資源のサブフレーム位置を決定する実現可能な解決策を詳細に説明する。
【０２４３】
異なる構成については、具体的なバンドリング中のアップリンクサブフレームの位置及び数量が異なるので、複数の事例があり得る。以下では、様々なバンドリング事例によって説明をする。
【０２４４】
方法１では、１つの無線フレーム内のすべてのアップリンクサブフレームがバンドルされて１つのバンドルサブフレームを形成し、それぞれのバンドルサブフレームが１つのＨＡＲＱ過程に対応するとき、サブフレーム位置決定モジュールはさらに、
アップリンク−ダウンリンクサブフレーム構成が０である場合には、無線フレーム内の特殊サブフレーム１及び６がその無線フレーム内のサブフレーム２、３、４、７、８、及び９とバンドルされるときに、ＰＨＩＣＨ資源が最終サブフレームＬからＫ番目のサブフレームに位置すると決定するように構成され、ここでＬ＝９、及びＫ＝６である、或いは
アップリンク−ダウンリンクサブフレーム構成が１である場合には、無線フレーム内の特殊サブフレーム１及び６がその無線フレーム内のサブフレーム２、３、７及び８とバンドルされるときに、ＰＨＩＣＨ資源が最終サブフレームＬからＫ番目のサブフレームに位置すると決定するように構成され、ここでＬ＝８、及びＫ＝６である、或いは
アップリンク−ダウンリンクサブフレーム構成が２である場合には、無線フレーム内の特殊サブフレーム１及び６がその無線フレーム内のサブフレーム２及び７とバンドルされるときに、ＰＨＩＣＨ資源が最終サブフレームＬからＫ番目のサブフレームに位置すると決定するように構成され、ここでＬ＝７、及びＫ＝６、９、又は１９である、或いは
アップリンク−ダウンリンクサブフレーム構成が３である場合には、無線フレーム内の特殊サブフレーム１がその無線フレーム内のサブフレーム２、３、及び４とバンドルされるときに、ＰＨＩＣＨ資源が最終サブフレームＬからＫ番目のサブフレームに位置すると決定するように構成され、ここでＬ＝４、及びＫ＝１６である、或いは
アップリンク−ダウンリンクサブフレーム構成が５である場合には、無線フレーム内の特殊サブフレーム１がその無線フレーム内のサブフレーム２とバンドルされるときに、ＰＨＩＣＨ資源が最終サブフレームＬからＫ番目のサブフレームに位置すると決定するように構成され、ここでＬ＝２、及びＫ＝５、１５、又は２５である、或いは
アップリンク−ダウンリンクサブフレーム構成が６である場合には、無線フレーム内の特殊サブフレーム１及び６がその無線フレーム内のサブフレーム２、３、４、７及び８とバンドルされるときに、ＰＨＩＣＨ資源が最終サブフレームＬからＫ番目のサブフレームに位置すると決定するように構成され、ここでＬ＝８、及びＫ＝１７である。
【０２４５】
方法２では、１つの無線フレームが２つの特殊サブフレームを含むとき、それぞれの特殊サブフレームが１つのバンドルサブフレームを形成することができ、各バンドルサブフレームは別個に、異なるＨＡＲＱ過程に対応し、具体的な実現は以下であり得る。
【０２４６】
１．アップリンク−ダウンリンクサブフレーム構成が２である場合には、無線フレーム内の特殊サブフレーム１と無線フレーム内のサブフレーム２がバンドルされて第１のバンドルフレームを形成し、また無線フレーム内の特殊サブフレーム６と無線フレーム内のサブフレーム７がバンドルされて第２のバンドルフレームを形成するときに、サブフレーム位置決定モジュールはさらに、
第１のバンドルフレームに対応する第１のＰＨＩＣＨ資源が最終サブフレームＬからＫ１番目のサブフレームに位置すると決定するように構成され、ここでＬ＝２、及びＫ１＝４であり、また
第２のバンドルフレームに対応する第２のＰＨＩＣＨ資源が最終サブフレームＬからＫ２番目のサブフレームに位置すると決定するように構成され、ここでＬ＝７、及びＫ２＝４である。
【０２４７】
２．アップリンク−ダウンリンクサブフレーム構成が３である場合には、無線フレーム内の特殊サブフレーム１とその無線フレーム内のサブフレーム２及び３とがバンドルされて第１のバンドルフレームを形成し、その無線フレーム内のサブフレーム４と、次の無線フレーム内の特殊サブフレーム１と、次の無線フレーム内のサブフレーム２とがバンドルされて第２のバンドルフレームを形成し、また次の無線フレーム内のサブフレーム３及び４がバンドルされて第３のバンドルフレームを形成するときに、サブフレーム位置決定モジュールはさらに、
第１のバンドルフレームに対応する第１のＰＨＩＣＨ資源が最終サブフレームＬからＫ番目のサブフレームに位置すると決定するように構成され、ここでＬ＝３、及びＫ＝６であり、
第２のバンドルフレームに対応する第２のＰＨＩＣＨ資源が最終サブフレームＬからＫ番目のサブフレームに位置すると決定するように構成され、ここでＬ＝２、及びＫ＝６であり、また
第３のバンドルフレームに対応する第３のＰＨＩＣＨ資源が最終サブフレームＬからＫ番目のサブフレームに位置すると決定するように構成され、ここでＬ＝４、及びＫ＝６である。
【０２４８】
基地局が、ＰＵＳＣＨに対応するＰＨＩＣＨ資源のサブフレーム位置を決定した後、基地局に対応するＰＨＩＣＨ情報を、ＰＨＩＣＨ群番号及び群内のＰＨＩＣＨの直交系列番号
（外１３）
2019083540.tif 000030
に応じて以下の式を使用することによって一意に決定することができ、また分離される。
（外１４）
2019083540.tif 000031
本発明のこの実施形態において提供される方法では、ＰＨＩＣＨ資源の時間周波数領域がさらに決定され、資源群番号決定モジュールはさらに、ＰＨＩＣＨ資源に対応するサブフレーム位置に応じて、またＰＨＩＣＨ群番号表示因子ＩＰＨＩＣＨを使用することによって、ＰＵＳＣＨに対応するＰＨＩＣＨ群番号を決定するように構成される。
【０２４９】
一具体例では、基地局がサブフレーム位置に応じてＰＨＩＣＨ資源のＰＨＩＣＨ群番号を決定するとき、資源群番号決定モジュールはさらに、アップリンク−ダウンリンクサブフレーム構成が０であるとき、現在の特殊サブフレームはサブフレームｎであり、ＰＨＩＣＨ資源は特殊サブフレームｎからＫ番目のサブフレームに位置し、ここでｎ＝１又は６、Ｋ＝５のときに、サブフレーム２、４、７、及び９に対応するＰＨＩＣＨ群番号表示因子ＩＰＨＩＣＨは１であり、サブフレーム２、４、７、及び９以外の、現在の特殊サブフレームの無線フレーム内の、他のサブフレームに対応するＩＰＨＩＣＨは０であると決定するように、また、決定ＩＰＨＩＣＨを使用することによって、ＰＵＳＣＨに対応するＰＨＩＣＨ群番号を決定するように構成され、或いは
アップリンク−ダウンリンクサブフレーム構成が０であるとき、現在の特殊サブフレームはサブフレームｎであり、ＰＨＩＣＨ資源は特殊サブフレームｎからＫ番目のサブフレームに位置し、ここでｎ＝１又は６、Ｋ＝５のときに、サブフレーム１、６、４、及び９に対応するＰＨＩＣＨ群番号表示因子ＩＰＨＩＣＨは１であり、サブフレーム１、６、４、及び９以外の、現在の特殊サブフレームの無線フレーム内の、他のサブフレームに対応するＩＰＨＩＣＨは０であると決定するように、また、決定ＩＰＨＩＣＨを使用することによって、ＰＵＳＣＨに対応するＰＨＩＣＨ群番号を決定するように構成される。
【０２５０】
任意選択で、資源群番号決定モジュールはさらに、
アップリンク−ダウンリンクサブフレーム構成が６であるとき、現在の特殊サブフレームはサブフレームｎであり、ＰＨＩＣＨ資源は特殊サブフレームｎからＫ番目のサブフレームに位置し、ここでｎ＝１又は６、Ｋ＝４のときに、サブフレーム６、及び８に対応するＰＨＩＣＨ群番号表示因子ＩＰＨＩＣＨは１であり、サブフレーム６、及び８以外の、現在の特殊サブフレームの無線フレーム内の、他のサブフレームに対応するＩＰＨＩＣＨは０であると決定するように、また、決定ＩＰＨＩＣＨを使用することによって、ＰＵＳＣＨに対応するＰＨＩＣＨ群番号を決定するように構成され、或いは
アップリンク−ダウンリンクサブフレーム構成が６であるとき、現在の特殊サブフレームはサブフレームｎであり、ＰＨＩＣＨ資源は特殊サブフレームｎからＫ番目のサブフレームに位置し、ここでｎ＝１又は６、Ｋ＝４のときに、サブフレーム１及び４に対応するＰＨＩＣＨ群番号表示因子ＩＰＨＩＣＨは１であり、サブフレーム１及び４以外の、現在の特殊サブフレームの無線フレーム内の、他のサブフレームに対応するＩＰＨＩＣＨは０であると決定するように、また、決定ＩＰＨＩＣＨを使用することによって、ＰＵＳＣＨに対応するＰＨＩＣＨ群番号を決定するように構成される。
【０２５１】
本出願の実施形態の１つ又は複数の技法的解決策には、少なくとも以下の技法的効果がある。
【０２５２】
本発明の実施形態において提供される方法は、アップリンクＰＵＳＣＨを送信するために特殊サブフレームが使用されるときに（単独法又はバンドリング法で）、アップリンクＰＵＳＣＨに対応するダウンリンクＰＨＩＣＨの受信位置を決定するための具体的な解決策がないという従来技術の問題を解決する。
【０２５３】
加えて、ダウンリンクＰＨＩＣＨの受信位置が決定されるときに、ＰＨＩＣＨ資源に対応するＰＨＩＣＨ群番号を調整する方法もさらに提供され、それによって、新たに決定されたＰＵＳＣＨに対応するＰＨＩＣＨ資源と元の構成との間の競合を解決する方法が提供される。
【０２５４】
当業者には、便利で簡潔な説明という目的のために、上記の機能モジュールの区分は説明のための一例と解釈されることが明確に理解されよう。実際の適用においては、上記の機能は、要件に応じて別々の機能モジュールに割り当て、実現することできる。すなわち、装置の内部構造は、別々の機能モジュールに分割されて上述の機能の全部又は一部を実現する。上記のシステム、装置、及びユニットの詳細な動作過程については、上記の方法の実施形態における対応する過程を参照することができ、詳細についてはここで再び説明しない。
【０２５５】
本出願に提示されたいくつかの実施形態において、開示されたシステム、装置及び方法は他のやり方でも実施できることを理解されたい。たとえば、説明された装置実施形態は例示的なものにすぎない。たとえば、モジュール又はユニットの区分は単なる論理機能区分であり、実際の実現においては他の区分とすることもできる。たとえば、複数のユニット又は構成要素を他のシステムと組み合わせること、又は一体化することができ、或いはいくつかの機能を省略すること、又は実行しないことも可能である。加えて、示された、又は論じられた相互連結又は直接連結又は通信接続は、いくつかのインターフェースを使用することによって実現することができる。装置又はユニット間の間接的な連結又は通信接続は、電気的形式、機械的形式又は他の形式で実現することができる。
【０２５６】
別々の部分として記述されたユニットは、物理的に分離していてもいなくてもよく、ユニットとして示された部分は、物理的なユニットであってもなくてもよく、１つの場所に置かれていてもよく、或いは複数のネットワークユニット上に分散されていてもよい。ユニットの一部又は全部は、実施形態の解決策の目的を達成するために、実際の必要に応じて選択することができる。
【０２５７】
加えて、本出願の実施形態における機能ユニットは、１つの処理ユニットに一体化することも、ユニットのそれぞれが単独で物理的に存在することもでき、或いは２つ以上のユニットが１つのユニットに一体化される。一体化ユニットは、ハードウェアの形で実現することも、ソフトウェア機能ユニットの形で実現することもできる。
【０２５８】
一体化ユニットがソフトウェア機能ユニットの形で実現され、単独製品として販売又は使用される場合、一体化ユニットは、コンピュータ可読記憶媒体内に収納することができる。このような理解に基づいて、本出願の技法的解決策は本質的に、或いは従来技術に寄与する部分、又は技法的解決策の全部又は一部は、ソフトウェア製品の形で実現することができる。コンピュータソフトウェア製品は、記憶媒体内に収納され、コンピュータデバイス（パーソナルコンピュータ、サーバ、又はネットワークデバイスなどであり得る）又はプロセッサ（ｐｒｏｃｅｓｓｏｒ）に指示して本出願の実施形態に関して説明された方法のステップの全部又は一部を実行するためのいくつかの命令を含む。上記の記憶媒体は、ＵＳＢフラッシュドライブ、取外し可能ハードディスク、読み出し専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、又は光ディスクなどの、プログラムコードを保存できる任意の媒体を含む。
【０２５９】
上記の実施形態は、本出願の技法的解決策を詳細に説明するために使用されるにすぎない。上記の実施形態についての説明は、本発明の方法及び中核の概念を理解する助けとなるものにすぎず、本発明を限定するものと解釈されてはならない。本発明で開示された技法的範囲内で当業者によって容易に考え出されるいかなる変形又は置換えも、本発明の保護の範囲内に入るものとする。
【図１】
2019083540.tif 000034
【図２】
2019083540.tif 000035
【図３】
2019083540.tif 000036
【図４】
2019083540.tif 000037
【図５】
2019083540.tif 000038
【図６】
2019083540.tif 000039
【外国語明細書】
2019083540000001.pdf